(57)【要約】【課題】くぐり戸を両方向に開いて両方向に避難する。くぐり戸の上下のヒンジの弾性体をバランスして、くぐり戸を閉位置に移動させて、押さないくぐり戸を閉位置に移動して防火壁に利用する。【解決手段】防火ドアは、通り抜けることができるくぐり戸２を、ヒンジ３を介して本体ドア１に設けている。くぐり戸２は、上下に設けている第１のヒンジ３Ａと第２のヒンジ３Ｂを介して、本体ドア１に、両面に開閉できるように連結している。第１のヒンジ３Ａと第２のヒンジ３Ｂは、くぐり戸２を開位置から閉位置に弾性的に駆動する回転弾性体１３を備える。第１のヒンジ３Ａと第２のヒンジ３Ｂは、内蔵する回転弾性体１３でもって、くぐり戸２を反対方向に駆動すると共に、第１のヒンジ３Ａと第２のヒンジ３Ｂの回転弾性体１３がバランスして、くぐり戸２を本体ドア１の閉位置に配置する。【選択図】図２
2008285987.tif 000002
【特許請求の範囲】
【請求項１】
通り抜けることができるくぐり戸(2)をヒンジ(3)を介して本体ドア(1)に設けている防火ドアであって、
くぐり戸(2)は、上下に設けている第１のヒンジ(3A)と第２のヒンジ(3B)を介して、本体ドア(1)に両面に開閉できるように連結しており、
第１のヒンジ(3A)と第２のヒンジ(3B)は、くぐり戸(2)を開位置から閉位置に弾性的に駆動する回転弾性体(13)を備えると共に、第１のヒンジ(3A)と第２のヒンジ(3B)は、内蔵する回転弾性体(13)でもって、くぐり戸(2)を反対方向に駆動すると共に、第１のヒンジ(3A)と第２のヒンジ(3B)の回転弾性体(13)がバランスして、くぐり戸(2)を本体ドア(1)の閉位置に配置するようにしてなる防火ドア。
【請求項２】
くぐり戸(2)と本体ドア(1)の間に、くぐり戸(2)を閉位置に停止するストッパー機構(30)を設けており、このストッパー機構(30)でもって、くぐり戸(2)が本体ドア(1)の閉位置に停止されるようにしてなる請求項１に記載される防火ドア。
【請求項３】
ストッパー機構(30)が、くぐり戸(2)と本体ドア(1)との対向面に設けている凹部(31)と、この凹部(31)に出し入れされる突出部(32)と、この突出部(32)を弾性的に凹部(31)に向かって押し出す押圧弾性体(33)とを備え、
突出部(32)が縦に長い凸条(32A)で、凹部(31)がこの凸条(32A)を案内する案内溝(31A)で、案内溝(31A)の幅が凸条(32A)の幅よりも広く、かつ凸条(32A)が上下で案内溝(31A)の幅方向に傾斜しており、さらに案内溝(31A)の幅を、傾斜する凸条(32A)の全体を案内できる幅としており、
押圧弾性体(33)で弾性的に押し出される突出部(32)を凹部(31)に案内して、くぐり戸(2)を本体ドア(1)の閉位置に停止する請求項２に記載される防火ドア。
【請求項４】
ストッパー機構(30)がくぐり戸(2)と本体ドア(1)との対向面に配設している磁石(40)からなり、磁石(40)の吸引力でくぐり戸(2)を本体ドア(1)の閉位置に停止するようにしてなる請求項２に記載される防火ドア。
【請求項５】
通り抜けることができるくぐり戸(2)をヒンジ(3)を介して本体ドア(1)の開口部(1A)に両方に開くように設けている防火ドアであって、
くぐり戸(2)と本体ドア(1)の間に、くぐり戸(2)を閉位置に停止するストッパー機構(30)を設けており、このストッパー機構(30)でもって、くぐり戸(2)が本体ドア(1)の閉位置に停止されるようにしてなる防火ドアであって、
ストッパー機構(30)が、くぐり戸(2)と本体ドア(1)との対向面に設けている凹部(31)と、この凹部(31)に出し入れされる突出部(32)と、この突出部(32)を弾性的に凹部(31)に向かって押し出す押圧弾性体(33)とを備え、
突出部(32)が縦に長い凸条(32A)で、凹部(31)がこの凸条(32A)を案内する案内溝(31A)で、案内溝(31A)の幅が凸条(32A)の幅よりも広く、かつ凸条(32A)が上下で案内溝(31A)の幅方向に傾斜しており、さらに案内溝(31A)の幅を、傾斜する凸条(32A)の全体を案内できる幅としており、
押圧弾性体(33)で弾性的に押し出される突出部(32)を凹部(31)に案内して、くぐり戸(2)を本体ドア(1)の閉位置に停止するようにしてなる防火ドア。
【請求項６】
くぐり戸(2)に凹部(31)を設けて、本体ドア(1)の対向面に凸条(32A)を設けている請求項５に記載される防火ドア。
【請求項７】
くぐり戸(2)が両側面と上側面に凹部(31)を有し、本体ドア(1)は開口部(1A)の内側であって、くぐり戸(2)に設けている凹部(31)との対向面である両側の内面と上側の下面に凸条(32A)を設けている請求項６に記載される防火ドア。
【請求項８】
本体ドア(1)の開口部(1A)の上側の下面に設けている凸条(32A)が、長手方向に向かって傾斜して配設されてなる請求項７に記載される防火ドア。
【請求項９】
本体ドア(1)の開口部(1A)の上側の下面に設けている凸条(32A)が、その両端で開口部(1A)の両側内面に設けている凸条(32A)の上端に連結される位置に配置されている請求項８に記載される防火ドア。
【請求項１０】
ヒンジ(3)がくぐり戸(2)を本体ドア(1)に連結する主軸(11)と、本体ドア(1)に固定されてヒンジ(3)の主軸(11)を連結する軸受け金具(50)とを備え、軸受け金具(50)は、主軸(11)の先端連結部(11A)を回転しないように連結する非回転孔(51a)を有する調整台(51)と、この調整台(51)を水平面内で回転できるように連結している支持部(10A)と、調整台(51)を所定の位置に回転して支持部(50A)に固定するロックボルト(52)とを備える請求項５に記載される防火ドア。
【請求項１１】
調整台(51)の外周面に、調整台(51)の回転方向に対して接線方向に平行な調整面(53)を有し、ロックボルト(52)がこの調整面(53)を押圧して、調整台(51)を支持部(50A)に対して回転しながら固定するようにしてなる請求項１０に記載される防火ドア。
【請求項１２】
調整台(51)の外周が、円の対向面を接線方向と平行な方向に切除して調整面(53)を設けた形状としており、各々の調整面(51)の両端部を押圧する位置にロックボルト(52)を設けている請求項１１に記載される防火ドア。
【発明の詳細な説明】
【技術分野】
【０００１】
本発明は、本体ドアにくぐり戸を有する防火ドアに関し、とくに、くぐり戸を両方に開くことができる防火ドアに関する。
【背景技術】
【０００２】
本体ドアにくぐり戸を設けた防火ドアは開発されている。この防火ドアは、くぐり戸を押して開くことができるように、くぐり戸をヒンジで本体ドアに連結している。くぐり戸は、一方に押すと開くヒンジで本体ドアに連結している。さらに、ヒンジは、くぐり戸を押すのを中止すると自動的に閉まるバネを備えている。この防火ドアは、火災を検出して閉じた状態において、くぐり戸を開いて特定の方向に避難できる。また、避難した後には、くぐり戸を閉じる必要はなく、ヒンジのバネで自動的に閉じて防火壁の作用をする。ただ、この防火ドアは、一方に押して開き、また押すのを停止すると閉じる構造であることから、特定の方向とは反対の方向に移動しようとするとき、くぐり戸を引っ張って開くことができない。このため、くぐり戸を両方向に通過して避難できない欠点がある。
【０００３】
この欠点は、くぐり戸を両方向に開く構造として解消できる。両方向に開くことができるドアは開発されている。（特許文献１）
【特許文献１】特開平１０−１９６２４１号公報
【発明の開示】
【発明が解決しようとする課題】
【０００４】
特許文献１に記載されるドアは、両方向に開くことができる独特のヒンジを介して連結している。このドアは、両面にドアノブを固定しており、このドアノブを回転してドアを両方に開くことができる。ただ、この構造は、防火ドアのくぐり戸には利用できない。それは、くぐり戸は押すのを停止すると自動的に閉位置に移動する必要があるからである。
【０００５】
本発明は、従来の防火ドアの欠点を解決することを目的に開発されたもので、本発明の重要な目的は、くぐり戸を両方向に開いて両方向に避難でき、しかも、くぐり戸の上下に固定しているヒンジの弾性体をバランスしてくぐり戸を閉位置に移動することから、簡単な構造でもって、押さないくぐり戸を閉位置に移動して防火壁に利用できる防火ドアを提供することにある。
さらにまた、本発明の他の大切な目的は、両方向に開くように設けているくぐり戸を、簡単な構造で、確実に閉位置に移動できる防火ドアを提供することにある。
【課題を解決するための手段】
【０００６】
本発明の防火ドアは、前述の目的を達成するために以下の構成を備える。
防火ドアは、通り抜けることができるくぐり戸２を、ヒンジ３を介して本体ドア１に設けている。くぐり戸２は、上下に設けている第１のヒンジ３Ａと第２のヒンジ３Ｂを介して、本体ドア１に、両面に開閉できるように連結している。第１のヒンジ３Ａと第２のヒンジ３Ｂは、くぐり戸２を開位置から閉位置に弾性的に駆動する回転弾性体１３を備える。第１のヒンジ３Ａと第２のヒンジ３Ｂは、内蔵する回転弾性体１３でもって、くぐり戸２を反対方向に駆動すると共に、第１のヒンジ３Ａと第２のヒンジ３Ｂの回転弾性体１３がバランスして、くぐり戸２を本体ドア１の閉位置に配置する。
【０００７】
本発明の請求項２の防火ドアは、くぐり戸２と本体ドア１の間に、くぐり戸２を閉位置に停止するストッパー機構３０を設けている。この防火ドアは、ストッパー機構３０でもって、くぐり戸２を本体ドア１の閉位置に停止させている。
【０００８】
本発明の請求項３の防火ドアは、ストッパー機構３０が、くぐり戸２と本体ドア１との対向面に設けている凹部３１と、この凹部３１に出し入れされる突出部３２と、この突出部３２を弾性的に凹部３１に向かって押し出す押圧弾性体３３とを備える。さらに、ストッパー機構３０は、突出部３２を縦に長い凸条３２Ａとし、凹部３１を、この凸条３２Ａを案内する案内溝３１Ａとしている。案内溝３１Ａの幅は凸条３２Ａの幅よりも広く、かつ凸条３２Ａは、上下で案内溝３１Ａの幅方向に傾斜しており、さらに案内溝３１Ａの幅を、傾斜する凸条３２Ａの全体を案内できる幅としている。この防火ドアは、押圧弾性体３３で弾性的に押し出される突出部３２を凹部３１に案内して、くぐり戸２を本体ドア１の閉位置に停止する。
【０００９】
本発明の請求項４の防火ドアは、ストッパー機構３０がくぐり戸２と本体ドア１との対向面に配設している磁石４０からなり、磁石４０の吸引力でくぐり戸２を本体ドア１の閉位置に停止させている。
【００１０】
本発明の請求項５の防火ドアは、通り抜けることができるくぐり戸２をヒンジ３を介して本体ドア１の開口部１Ａに両方に開くように設けている。さらに、防火ドアは、くぐり戸２と本体ドア１の間に、くぐり戸２を閉位置に停止するストッパー機構３０を設けており、このストッパー機構３０でもって、くぐり戸２を本体ドア１の閉位置に停止させている。このストッパー機構３０は、くぐり戸２と本体ドア１との対向面に設けている凹部３１と、この凹部３１に出し入れされる突出部３２と、この突出部３２を弾性的に凹部３１に向かって押し出す押圧弾性体３３とを備えている。突出部３２は、縦に長い凸条３２Ａで、凹部３１は、この凸条３２Ａを案内する案内溝３１Ａで、案内溝３１Ａの幅を凸条３２Ａの幅よりも広くし、かつ凸条３２Ａを上下で案内溝３１Ａの幅方向に傾斜しており、さらに案内溝３１Ａの幅を、傾斜する凸条３２Ａの全体を案内できる幅としている。防火ドアは、押圧弾性体３３で弾性的に押し出される突出部３２を凹部３１に案内して、くぐり戸２を本体ドア１の閉位置に停止している。
【００１１】
本発明の請求項６の防火ドアは、くぐり戸２に凹部３１を設けて、本体ドア１の対向面に凸条３２Ａを設けている。さらに、本発明の請求項７の防火ドアは、くぐり戸２が両側面と上側面に凹部３１を有しており、本体ドア１は、開口部１Ａの内側であって、くぐり戸２に設けている凹部３１との対向面である両側の内面と上側の下面に凸条３２Ａを設けている。さらに、本発明の請求項８の防火ドアは、本体ドア１の開口部１Ａの上側の下面に設けている凸条３２Ａを、長手方向に向かって傾斜して配設している。さらにまた、本発明の請求項９の防火ドアは、本体ドア１の開口部１Ａの上側の下面に設けている凸条３２Ａを、その両端で開口部１Ａの両側内面に設けている凸条３２Ａの上端に連結される位置に配置している。
【００１２】
本発明の請求項１０の防火ドアは、ヒンジ３が、くぐり戸２を本体ドア１に連結する主軸１１と、本体ドア１に固定されてヒンジ３の主軸１１を連結する軸受け金具５０とを備える。軸受け金具５０は、主軸１１の先端連結部１１Ａを回転しないように連結する非回転孔５１ａを有する調整台５１と、この調整台５１を水平面内で回転できるように連結している支持部５０Ａと、調整台５１を所定の位置に回転して支持部５０Ａに固定するロックボルト５２とを備える。
【００１３】
さらに、本発明の請求項１１の防火ドアは、調整台５１の外周面に、調整台５１の回転方向に対して接線方向に平行な調整面５３を有し、ロックボルト５２でこの調整面５３を押圧して、調整台５１を支持部５０Ａに対して回転させながら固定している。さらに、本発明の請求項１２の防火ドアは、調整台５１の外周が、円の対向面を接線方向と平行な方向に切除して調整面５３を設けた形状としており、各々の調整面５３の両端部を押圧する位置にロックボルト５２を設けている。
【発明の効果】
【００１４】
本発明の防火ドアは、くぐり戸を両方に押し開いて両方向に避難できると共に、くぐり戸を通過した後は、弾性体で閉位置に復帰するので、くぐり戸を閉位置に戻すことなく防火壁として使用できる特徴がある。さらに、本発明の特筆すべき特徴は、くぐり戸の上下に固定しているヒンジの弾性体をバランスしてくぐり戸を閉位置に移動するので、簡単な構造で押さないくぐり戸を閉位置に移動して防火壁に利用できることにある。この特徴は、くぐり戸を、上下に設けている第１のヒンジと第２のヒンジで本体ドアの両面に開閉できるように連結すると共に、第１のヒンジと第２のヒンジには、くぐり戸を互いに反対方向に駆動する回転弾性体を設け、第１のヒンジと第２のヒンジの回転弾性体をバランスさせてくぐり戸を本体ドアの閉位置に配置するからである。
【００１５】
さらに、本発明の請求項２の防火ドアは、請求項１の構成に加えて、くぐり戸と本体ドアの間に、くぐり戸を閉位置に停止するストッパー機構を設けており、このストッパー機構で、くぐり戸を本体ドアの閉位置に停止している。この構造の防火ドアは、くぐり戸を正確に閉位置に停止できる特徴がある。
【００１６】
また、本発明の請求項３の防火ドアは、請求項２の構成に加えて、くぐり戸と本体ドアとの対向面に、案内溝とこの案内溝に出し入れされる凸条とを設け、さらに凸条を弾性的に案内溝に向かって押し出すように押圧弾性体を設けて、押圧弾性体でもって凸条を案内溝に案内して、くぐり戸を本体ドアの閉位置に停止する。さらに、この防火ドアは、案内溝の幅を、凸条の幅よりも広くすると共に、凸条を上下で案内溝の幅方向に傾斜させており、さらに案内溝の幅を、傾斜する凸条を案内できる幅としている。この防火ドアは、凸条全体を案内溝に案内することなく、凸条を部分的に案内溝に案内しながら、全体を案内溝に入れる。この防火ドアは、凸条全体を一度に案内溝に案内する構造に比較して、くぐり戸を閉位置に移動させる回転力を弱くして、凸条を案内溝に案内できる。このため、凸条をスムーズに案内溝に案内して、ストッパー機構でくぐり戸を閉位置に正確に停止できる特徴が実現される。
【００１７】
さらにまた、本発明の請求項４の防火ドアは、請求項１の構成に加えて、くぐり戸と本体ドアとの対向面に配設している磁石をストッパー機構に設けており、磁石の吸引力でくぐり戸を本体ドアの閉位置に停止する。磁石の吸引は接近するにしたがって強くなるので、第１のヒンジと第２のヒンジの回転弾性体でくぐり戸をぼぼ閉位置に移動して、くぐり戸を正確に閉位置に停止できる。
【００１８】
さらに、本発明の請求項５の防火ドアは、ヒンジを介して両方向に開くように設けているくぐり戸を、簡単な構造で、確実に閉位置に移動できる特徴がある。それは、本発明の防火ドアが、くぐり戸と本体ドアの間に、くぐり戸を閉位置に停止するストッパー機構を設けており、このストッパー機構でもって、くぐり戸を本体ドアの閉位置に停止させているからである。とくに、この防火ドアは、ストッパー機構を、くぐり戸と本体ドアとの対向面に設けた案内溝である凹部と、この凹部に出し入れされる凸条である突出部と、この突出部を弾性的に凹部に向かって押し出す押圧弾性体とで構成すると共に、案内溝の幅を凸条の幅よりも広く、かつ凸条を上下で案内溝の幅方向に傾斜し、さらに案内溝の幅を、傾斜する凸条の全体を案内できる幅としている。この構造の防火ドアは、押圧弾性体で弾性的に押し出される突出部を凹部に案内して、ストッパ機構でくぐり戸を閉位置に正確に停止できる。さらに、この防火ドアは、凸条を上下で案内溝の幅方向に傾斜しているので、凸条全体を同時に案内溝に案内することなく、凸条を部分的に案内溝に案内しながら、全体を案内溝に入れることができる。したがって、凸条全体を一度に案内溝に案内する構造に比較して、くぐり戸を閉位置に移動させる回転力を弱くして、凸条を案内溝に案内できる。このため、凸条をスムーズに案内溝に案内して、ストッパー機構でくぐり戸を閉位置に正確に停止できる特徴が実現される。
【００１９】
さらに、本発明の請求項７の防火ドアは、くぐり戸の両側面と上側面に凹部を有けて、本体ドアの開口部の内側には、くぐり戸に設けている凹部との対向面である両側の内面と上側の下面に凸条を設けているので、くぐり戸の下端を除く３辺に設けたストッパー機構でより確実にくぐり戸を閉位置に停止できる。とくに、突出部を縦に長い凸条とし、この凸条を凹部に案内するストッパー機構は、くぐり戸を閉位置とする状態で、本体ドアの開口部とくぐり戸との間を広い範囲にわたって隙間なく閉塞して、この部分から煙やガスが通過するのを有効に防止できる特長がある。
【００２０】
さらに、本発明の請求項８の防火ドアは、本体ドアの開口部の上側の下面に設けている凸条を、長手方向に向かって傾斜して配設しているので、この凸条を、弱い回転トルクでスムーズに凹部に案内できる。このため、回転トルクが弱くなっても、凸条を確実に凹部に案内して、くぐり戸を本体ドアの閉位置に移動できる。
【００２１】
さらにまた、本発明の請求項９の防火ドアは、本体ドアの開口部の上側の下面に設けている凸条の両端を、開口部の両側内面に設けている凸条の上端に連結される位置に配置しているので、これらの凸条の境界部分を連続する状態で連結して、この部分に隙間ができるのを有効に防止して、優れた遮煙性能を実現できる特徴がある。
【００２２】
さらに、本発明の請求項１０の防火ドアは、ヒンジが、くぐり戸を本体ドアに連結する主軸と、本体ドアに固定されてヒンジの主軸を連結する軸受け金具とを備えており、軸受け金具が、主軸の先端連結部を回転しないように連結する調整台と、この調整台を水平面内で回転できるように連結している支持部と、調整台を所定の位置に固定するロックボルトとを備えているので、調整台の回転位置をロックボルトで調整して、ヒンジの主軸を軸受け金具の支持部に理想的に連結できる。すなわち、この防火ドアは、ヒンジの主軸と軸受け金具の支持部の相対位置をロックボルトで簡単に微調整して、くぐり戸の閉位置を最適な位置に調整できる。
【００２３】
さらに、本発明の請求項１１の防火ドアは、調整台の外周面に、調整台の回転方向に対して接線方向に平行な調整面を設けて、ロックボルトでこの調整面を押圧して、調整台を支持部に対して回転させながら固定するので、調整台の固定位置を簡単に調整しながら、調整台をロックボルトで確実に固定できる。とくに、本発明の請求項１２の防火ドアは、調整台の外周を、円の対向面を接線方向と平行な方向に切除して調整面を設けた形状として、各々の調整面の両端部を押圧する位置にロックボルトを設けているので、調整面の両端部をロックボルトで押圧して、調整台を確実に固定できる。
【発明を実施するための最良の形態】
【００２４】
以下、本発明の実施例を図面に基づいて説明する。ただし、以下に示す実施例は、本発明の技術思想を具体化するための防火ドアを例示するものであって、本発明は防火ドアを以下のものに特定しない。
【００２５】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２６】
図１と図２に示す防火ドアは、通り抜けることができるくぐり戸２をヒンジ３を介して本体ドア１に設けている。図に示す本体ドア１は、中央部の下方に設けた開口部１Ａに、くぐり戸２を配設している。本体ドア１は、下端縁を開口して開口部１Ａを設けており、この開口部１Ａの内側縁に、くぐり戸２の左右両側と上端の３辺を対向させる状態でくぐり戸２を配設している。この構造の防火ドアは、くぐり戸２を開いて、本体ドア１を開口する状態で、開口部１Ａの下端をバリアフリーにでき、安全に避難できる特長がある。この防火ドアは、図１と図２に示すように、くぐり戸２の上下に設けている第１のヒンジ３Ａと第２のヒンジ３Ｂを介して、くぐり戸２を本体ドア１に、両面に開閉できるように連結している。
【００２７】
本体ドア１は、従来の防火ドアと同じように、バネヒンジ４を介して建物の通路９に取り付けられる。バネヒンジ４は、防火ドアを通路９を開く位置から通路９を閉じる位置にバネで移動させる。建物は、通常の状態において本体ドア１を通路９を開く位置に停止するためにストッパ（図示せず）を設けている。ストッパは、火災を検出すると本体ドア１の停止状態を解除する。ストッパが解除されると、本体ドア１はバネヒンジ４で通路９を閉鎖する位置に移動される。すなわち、本体ドア１は、火災のときに建物の通路９を閉鎖して、火災が広がるのを阻止する。
【００２８】
本体ドア１が建物の通路９を閉鎖して火災が広がるのを阻止するには、本体ドア１に設けているくぐり戸２を閉位置とする必要がある。くぐり戸２が閉位置にないと、開かれたくぐり戸２の開口部１Ａから火災等が広がるからである。開かれたくぐり戸２を手動で閉じる必要がある防火ドアは、非常時にくぐり戸２が閉じられないと防火ドアの働きをできない。したがって、くぐり戸２は、手動で操作して閉じることなく、自動的に閉位置に移動するヒンジ３で本体ドア１に連結している。
【００２９】
図１のくぐり戸２は、上下に固定しているヒンジ３、すなわち第１のヒンジ３Ａと第２のヒンジ３Ｂを介して本体ドア１に連結している。図２においては、くぐり戸２の上のヒンジを第１のヒンジ３Ａ、下のヒンジを第２のヒンジ３Ｂとする。
【００３０】
ヒンジ３の具体例を図３に示す。このヒンジ３は、本体ドア１に固定される軸受け金具１０と、この軸受け金具１０に連結される主軸１１と、くぐり戸２に固定される回転トルク部１２とを備える。軸受け金具１０は、主軸１１を回転しないように挿入する非回転孔１０ａを設けている。図に示す軸受け金具１０は、全体の形状をＬ字状としており、垂直に配設される固定部１０Ｂを本体ドア１に固定すると共に、水平に配設される支持部１０Ａに主軸１１を挿入する非回転孔１０ａを設けて、くぐり戸２を所定の位置に支持している。図１に示すように、くぐり戸２の上側に配設される軸受け金具１０は、本体ドア１の開口部１Ａの内側に固定されて、開口部１Ａの上端縁に配設される支持部１０Ａで第１のヒンジ３Ａの主軸１１を支持する。また、くぐり戸２の下側に配設される軸受け金具１０は、図１と図３に示すように、本体ドア１の開口部１Ａの開口縁から、支持部１０Ａを水平方向に突出させる状態で本体ドア１に固定されて、この突出部分である支持部１０Ａで第２のヒンジ３Ｂの主軸１１を支持する。上下の軸受け金具１０は、固定部１０Ｂを本体ドア１に固定して、開口部１Ａの所定の位置に配設される。軸受け金具１０の固定部１０Ｂは、図３に示すように、本体ドア１に固定する止ネジ２８を挿通する複数のネジ孔１０ｂを貫通して設けている。軸受け金具１０は、くぐり戸２の回転中心に非回転孔１０ａを配置するように、止ネジ２８で本体ドア１に固定される。軸受け金具１０は、くぐり戸２の上下に固定されるので、上下の軸受け金具１０は、その非回転孔１０ａを、くぐり戸２の回転中心軸ｎに配置する。
【００３１】
主軸１１は、くぐり戸２の内部であって、くぐり戸２の回転中心軸ｎ上に配置されており、くぐり戸２から突出する先端連結部１１Ａを一端に備えている。主軸１１は、この先端連結部１１Ａを軸受け金具１０の非回転孔１０ａに挿入して、軸受け金具１０に連結している。図のヒンジ３は、軸受け金具１０と主軸１１とを互いに回転しないように連結するために、軸受け金具１０の非回転孔１０ａを角穴とし、主軸１１の先端連結部１１Ａを、この角穴に嵌合する角ロッドとしている。ただ、軸受け金具の非回転孔と主軸の先端連結部は、互いに回転しない状態で嵌合する他の形状や構造とすることもできる。
【００３２】
回転トルク部１２は、主軸１１に連結されてくぐり戸２を開位置から閉位置に弾性的に駆動する回転弾性体１３と、この回転弾性体１３を内蔵する筒体１４と、この筒体１４に固定されてくぐり戸２に固定される固定片１５と、回転弾性体１３が主軸１１を相対的に回転させる回転トルクを調整するトルク調整機構１６とを備える。
【００３３】
回転弾性体１３は、くぐり戸２を閉じる方向に回転させるように付勢する状態で配設される。図３の回転弾性体１３は、弾性金属線を渦巻き状に加工しているコイルスプリングである。この回転弾性体１３は、一端を主軸１１に連結して、他端をトルク調整機構１６を介して筒体１４に連結している。主軸１１は、筒体１４に回転できるように内蔵されると共に、本体ドア１に、回転しないように連結されている。コイルスプリングである回転弾性体１３は、筒体１４と主軸１１とを、その弾性力によって相対的に回転させようとする。ただ、主軸１１は本体ドア１に回転しないように連結されているので、回転弾性体１３は、主軸１１を回転させることなく、その反作用で筒体１４を回転させる。すなわち、回転弾性体１３が、主軸１１に対して筒体１４を弾性的に回転させて、回転する筒体１４が、固定されたくぐり戸２を閉じる方向に回転させる。
【００３４】
本発明の防火ドアは、図２に示すように、本体ドア１の両面にくぐり戸２を開閉する。この図において、くぐり戸２は、水平面内で左右に回転されて、本体ドア１の両面に開閉される。ヒンジ３の回転弾性体１３は、くぐり戸２を右又は左にのみ、すなわち一方にのみ回転する。両面に開かれるくぐり戸２を閉位置とするために、くぐり戸２の上下に固定される第１のヒンジ３Ａの回転弾性体１３と第２のヒンジ３Ｂの回転弾性体１３は、くぐり戸２を互いに反対方向に回転して両方向に開かれるくぐり戸２を閉位置とする。たとえば、くぐり戸２の下部に固定されるヒンジ３の回転弾性体１３でくぐり戸２を弾性的に左回転させ、上部に固定される第２のヒンジ３Ｂの回転弾性体１３でくぐり戸２を弾性的に右回転させて、左右に回転して両面に開かれるくぐり戸２を閉位置に移動させる。
【００３５】
回転弾性体１３が筒体１４を回転させる回転トルクは、くぐり戸２を閉じる方向に回転させる回転トルクとなる。トルク調整機構１６は、回転弾性体１３の一端を筒体１４に連結する回転位置を変更して、筒体１４を弾性的に回転させる回転トルク、すなわち、くぐり戸２を閉じる方向に回転させる回転トルクを調整する。図３のヒンジ３は、トルク調整機構１６を一方クラッチ２０とする。ただし、本発明は、ヒンジのトルク調整機構を一方クラッチには特定せず、回転弾性体の回転トルクを調整できるすべての機構、たとえばラチェット機構とすることもできる。
【００３６】
一方クラッチ２０からなるトルク調整機構１６は、筒体１４に回転しないように固定される外リング２１と、回転弾性体１３の一端を連結している内リング２２と、この内リング２２と外リング２１との間にあるボール２３とを備える。内リング２２は、図４に示すように、ボール２３を案内するテーパー溝２４を設けているいる。テーパー溝２４は内リング２２の回転方向に向かって次第に浅くなるテーパー状としている。この一方クラッチ２０は、図４の矢印Ａで示す方向には回転できるが、矢印Ｂで示す方向には回転しない。このトルク調整機構１６は、一方クラッチ２０の内リング２２を矢印Ａで示す方向に回転して、回転弾性体１３がくぐり戸２を閉じる方向に回転させるトルクを強くする。いいかえると、内リング２２がこの方向に回転されると、コイルスプリングからなる回転弾性体１３の一端を巻方向に移動して、コイルスプリングが筒体１４を回転させる回転トルクを強くする。内リング２２を回転させるために、図１の一部拡大図に示すように、くぐり戸２の表面と筒体１４には開口部１７を設けており、さらに内リング２２の外側面には、回転ジグ２６を挿入する連結孔２５を設けている。くぐり戸２と筒体１４の開口部１７から内リング２２の連結孔２５に回転ジグ２６を挿入し、回転ジグ２６で内リング２２を回転して、回転弾性体１３が筒体１４を回転する回転トルクを調整する。
【００３７】
ヒンジ３は、主軸１１を弾性的に回転しない状態でくぐり戸２に連結される。くぐり戸２の上下に固定されるヒンジ３は、主軸１１を本体ドア１の軸受け金具１０に連結した後、トルク調整機構１６で回転弾性体１３が主軸１１を弾性的に回転する回転トルクを調整する。第１のヒンジ３Ａの回転弾性体１３は、図２において矢印Ｃで示すように、くぐり戸２を右方向に回転して閉位置とし、第２のヒンジ３Ｂの回転弾性体１３は、矢印Ｄで示すように、くぐり戸２を左方向に回転して閉位置とする。第１のヒンジ３Ａの回転弾性体１３と第２のヒンジ３Ｂの回転弾性体１３は、互いにバランスして、本体ドア１の閉位置となるように調整される。第１のヒンジ３Ａと第２のヒンジ３Ｂは、くぐり戸２を閉位置とするように回転弾性体１３をバランスさせているので、くぐり戸２が押されて開かれると、閉位置に復帰させるように主軸１１を弾性的に回転させる。
【００３８】
固定片１５は、主軸１１の先端連結部１１Ａを貫通させて突出させる貫通孔１５Ａと、止ネジ２９を挿入してくぐり戸２に固定する複数のネジ孔１５Ｂを設けている。固定片１５の貫通孔１５Ａは、主軸１１の先端連結部１１Ａを回転できるように貫通させる。正確には、主軸１１は、回転しないように本体ドア１に連結されるので、固定片１５は、主軸１１に対して回転できるように先端連結部１１Ａを貫通させている。固定片１５は、ネジ孔１５Ｂに挿通される止ネジ２９でくぐり戸２に固定される。第１のヒンジ３Ａは固定片１５をくぐり戸２の上面に固定し、第２のヒンジ３Ｂは固定片１５をくぐり戸２の下面、図３においては、くぐり戸２の下端に位置する第２の横枠２Ｄに固定している。くぐり戸２は、固定片１５を固定する状態で筒体１４を内蔵する収納部１８を設けている。
【００３９】
さらに、防火ドアは、図５と図６の断面図に示すように、くぐり戸２と本体ドア１の間にストッパー機構３０を設けている。ストッパー機構３０は、くぐり戸２が押圧されない状態で、くぐり戸２を閉位置に停止させる。このくぐり戸２は、ストッパー機構３０で閉位置に正確に停止される。これらの図の防火ドアは、ヒンジ３で本体ドア１に連結されるくぐり戸２の第１の縦枠２Ａと、その反対側に位置する第２の縦枠２Ｂと、くぐり戸２の上端に位置する第１の横枠２Ｃにストッパー機構３０を設けている。すなわち、くぐり戸２は、下端を除く３辺にストッパー機構３０を設けている。この防火ドアは、ストッパー機構３０でより確実にくぐり戸２を閉位置に停止できる。
【００４０】
図５と図６のストッパー機構３０は、くぐり戸２と本体ドア１との対向面に設けている凹部３１と、この凹部３１に出し入れされる突出部３２と、この突出部３２を弾性的に凹部３１に向かって押し出す押圧弾性体３３とを備える。図５は、本体ドア１とくぐり戸２の水平断面図を、図６は、本体ドア１とくぐり戸２の垂直断面図をそれぞれ示している。
これらの図のストッパー機構３０は、くぐり戸２の外側に凹部３１を設けて、本体ドア１の枠体３５に突出部３２を設けている。ただし、ストッパー機構は、図とは反対に、くぐり戸の外側に突出部を設けて、本体ドアに凹部を設けることもできる。
【００４１】
突出部３２は、本体ドア１の枠体３５の内部に配設されて、内側から押圧弾性体３３に押されて、くぐり戸２の凹部３１に向かって弾性的に押し出される。本体ドア１の枠体３５は、くぐり戸２の凹部３１に突出部３２を案内するために、突出部３２を本体ドア１から外部に突出させる開口部３６を設けている。図５と図６の押圧弾性体３３は、ロッド３４を介して突出部３２を内面から弾性的に押圧している。ロッド３４は、本体ドア１に固定している縦バー３７または横バー３８のガイド孔３７Ａ、３８Ａに挿通されて、押圧弾性体３３で軸方向に移動される。さらに、ロッド３４は、その先端に鍔部３９を設けている。この鍔部は、図示しないが、磁石を内蔵することもできる。磁石を内蔵する鍔部は、その磁力によって、くぐり戸の縦枠や横枠に引きつけられて、凸部を確実に押し出して、凹部に案内できる。また、くぐり戸の上側に配設される凸部は、鍔部の自重で凸部を下向きに突出させて、確実に凹部に案内することもできる。押圧弾性体３３はコイルスプリングからなる押しバネである。この押圧弾性体３３は、ロッド３４に挿通され、鍔部３９と本体ドア１の縦バー３７の間にあって、ロッド３４を突出部３２の内面に弾性的に押圧する。
【００４２】
さらに、ストッパー機構３０は、突出部３２を縦に長い凸条３２Ａとし、凹部３１を、凸条３２Ａを案内する案内溝３１Ａとする。このように、突出部３２を縦に長い凸条３２Ａとし、この凸条３２Ａを案内する案内溝３１Ａを凹部３１とするストッパー機構３０は、くぐり戸２を閉位置とする状態で、本体ドア１の開口部１Ａとくぐり戸２との間を広い範囲にわたって隙間なく閉塞して、この部分から煙やガスが通過するのを有効に防止できる特長がある。
【００４３】
図５と図６のストッパー機構３０は、上下のヒンジ３がバランスして、くぐり戸２を閉位置に配置すると、押圧弾性体３３が弾性的に押し出す突出部３２が凹部３１に案内されて、くぐり戸２を本体ドア１の閉位置に停止する。非常時において、くぐり戸２が押されて開かれると、突出部３２を凹部３１の外部に移動する。くぐり戸２が押されなくなると、ヒンジ３がくぐり戸２を閉位置に復帰させる。このとき、突出部３２は、凹部３１に復帰されて、くぐり戸２を閉位置に停止する。
【００４４】
くぐり戸２が閉位置に移動するとき、突出部３２は押圧弾性体３３を弾性的に圧縮する。ヒンジ３がくぐり戸２を閉位置に移動させる力で、押圧弾性体３３は圧縮される。上下のヒンジ３は、バランスしてくぐり戸２を閉位置に停止するので、くぐり戸２が閉位置に接近するにしたがって、くぐり戸２を閉位置に移動させる回転トルクが小さくなる。小さい回転トルクは、押圧弾性体３３を圧縮する力も弱くなる。
【００４５】
さらにまた、図５と図７は、弱い回転トルクで突出部３２をスムーズに凹部３１に案内するストッパー機構３０としている。このストッパー機構３０は、案内溝３１Ａの幅を凸条３２Ａの幅より広くして、凸条３２Ａを上下で案内溝３１Ａの幅方向に傾斜させている。さらに、案内溝３１Ａの幅は、傾斜する凸条３２Ａの全体を案内できる幅としている。このストッパー機構３０は、凸条３２Ａを部分的に案内溝３１Ａに案内しながら、くぐり戸２を閉位置に停止する。図６のストッパー機構３０のように、突出部３２の全体を同時に凹部３１に案内しない。凸条３２Ａが部分的に案内溝３１Ａに案内されることから、凸条３２Ａを案内溝３１Ａに案内するために要求されるくぐり戸２の回転トルクは小さくなる。このため、回転トルクが弱くなっても、凸条３２Ａを案内溝３１Ａに案内して、くぐり戸２を本体ドア１の閉位置に移動できる。
【００４６】
ストッパー機構３０は、図８の拡大断面図に示すように、くぐり戸２と本体ドア１との対向面に配設している磁石４０とすることもできる。このストッパー機構３０は、磁石４０の吸引力でくぐり戸２を本体ドア１の閉位置に停止する。とくに、図８の断面図に示すストッパー機構３０は、鉄などの磁性金属をカップ状に加工している磁気カップ４１に収納している。磁気カップ４１は内形を磁石４０の外形よりも大きくすると共に、くぐり戸２を閉位置とする状態で互いに対向して配設されるように、くぐり戸２と本体ドア１に固定している。このストッパー機構３０は、くぐり戸２を閉位置とする状態で、磁石４０の吸引力を強くして、くぐり戸２を安定して閉位置に停止できる。くぐり戸２を閉位置とする状態で、磁気カップ４１が磁気抵抗を小さくして、磁気的な吸引力を強くするからである。
【００４７】
さらに、図９に示す防火ドアは、通り抜けできるくぐり戸２を、ヒンジ３を介して本体ドア１の開口部１Ａに両方向に開くように設けると共に、くぐり戸２と本体ドア１の間に、くぐり戸２を閉位置に停止するストッパー機構３０を設けている。この防火ドアは、くぐり戸２の上下をヒンジ３を介して本体ドア１の開口部１Ａに連結しているが、前述の実施例のように、くぐり戸２の上下に固定しているヒンジ３の弾性体をバランスしてくぐり戸２を閉位置に移動させるのではない。この防火ドアは、くぐり戸２と本体ドア１の間に設けたストッパ機構３０を介して、くぐり戸１２を閉位置に停止させる。したがって、上下のヒンジ３は、必しもくぐり戸を反対方向に回転するように付勢する弾性体を各々が内蔵する必要はない。
【００４８】
図に示す上下のヒンジ３は、くぐり戸２を本体ドア１に連結する主軸１１と、本体ドア１に固定されて、ヒンジ３の主軸１１を連結する軸受け金具１０、５０とを備えている。ここで、くぐり戸２の下部に設けた第２のヒンジ３Ｂは、くぐり戸２を閉位置に移動させる回転トルク部１２を備えているが、くぐり戸２の上部に設けた第１のヒンジ３Ａは、くぐり戸２を回転させる回転トルク部を備えていない。すなわち、図の防火ドアは、くぐり戸２を本体ドア１に対して回転させた状態では、下部に設けた第２のヒンジ３Ｂの回転トルク部１２によってくぐり戸２を閉位置に移動させる構造としている。ただ、回転トルク部は、上部に設けた第１のヒンジに設けることもできる。すなわち、くぐり戸は、上下のいずれか一方のヒンジに設けた回転トルク部で閉位置に移動することができ、あるいは上下の両方のヒンジに回転トルク部を設けて閉位置に移動することもできる。
【００４９】
この防火ドアは、ヒンジ３に内蔵される回転トルク部１２を介して、開位置にあるくぐり戸２を閉位置に移動させる。以下、回転トルク部１２を備えるヒンジ３について詳述する。図９の防火ドアは、くぐり戸２の下部に配設される第２のヒンジ３Ｂが回転トルク部１２を備えている。したがって、この第２のヒンジ３Ｂの詳細について、図１０に基づいて説明する。なお、回転トルク部を備えていないヒンジ、すなわち、図９において、くぐり戸２の上部に配設される第１のヒンジ３Ａの詳細については後述する。
【００５０】
図１０に示すヒンジ３は、くぐり戸２を本体ドア１に連結する主軸１１と、本体ドア１に固定されてヒンジ３の主軸１１を連結する軸受け金具５０と、くぐり戸２に固定される回転トルク部１２とを備える。主軸１１は、くぐり戸２の内部であって、くぐり戸２の回転中心軸ｎ上に配置されており、くぐり戸２から突出する先端連結部１１Ａを一端に備えている。主軸１１は、この先端連結部１１Ａを軸受け金具５０に連結している。
【００５１】
軸受け金具５０は、全体の形状をＬ字状としており、垂直に配設される固定部５０Ｂを本体ドア１に固定すると共に、水平に配設される支持部５０Ａを、本体ドア１の開口部１Ａの開口縁から水平方向に突出させる状態で配置している。軸受け金具５０の固定部５０Ｂは、図に示すように、本体ドア１に固定する止ネジ２８を挿通する複数のネジ孔５０ｂを貫通して設けている。
【００５２】
回転トルク部１２は、主軸１１に連結されてくぐり戸２を開位置から閉位置に弾性的に駆動する回転弾性体１３と、この回転弾性体１３を内蔵する筒体１４と、この筒体１４に固定されてくぐり戸２に固定される固定片１５とを備える。図の回転弾性体１３は、弾性金属線を渦巻き状に加工しているコイルスプリングである。この回転弾性体１３は、一端を主軸１１に連結して、他端を筒体１４に連結している。主軸１１は、筒体１４に回転できるように内蔵されると共に、本体ドア１に、回転しないように連結している。コイルスプリングである回転弾性体１３は、筒体１４と主軸１１とを、その弾性力によって相対的に回転させようとする。ただ、主軸１１は本体ドア１に回転しないように連結されるので、回転弾性体１３は、主軸１１を回転させることなく、その反作用で筒体１４を回転させる。すなわち、回転弾性体１３が、主軸１１に対して筒体１４を弾性的に回転させて、筒体１４が固定されたくぐり戸２を閉じる方向に回転させる。コイルスプリングである回転弾性体１３は、くぐり戸２を、閉位置から左右のいずれの方向に回転させても、回転弾性体１３の弾性力でくぐり戸２を閉じる方向に回転させる。したがって、この回転弾性体１３は、くぐり戸２を回転させる方向に力が付勢しない状態で、くぐり戸２が閉位置となるように配設される。固定片１５は、主軸１１の先端連結部１１Ａを回転しないように貫通孔１５Ａを貫通させて突出させると共に、ネジ孔１５Ｂに止ネジ２９を挿入して、くぐり戸２に固定している。図のヒンジ３は、固定片１５をくぐり戸２の下面、図１０においては、くぐり戸２の下端に位置する第２の横枠２Ｄに固定している。くぐり戸２は、固定片１５を固定する状態で筒体１４を内蔵する収納部１８を設けている。
【００５３】
以上の構造の回転トルク部１２を備えるヒンジ３は、本体ドア１の両方向に回転されるくぐり戸２を、回転弾性体１３の弾性力によって閉位置に移動させる。さらに、図に示すヒンジ３は、回転弾性体１３の弾性力が経時的に変化しても、負荷が作用しない状態における回転弾性体１３の静止位置、いいかえるとくぐり戸２の停止位置が閉位置からずれないように、軸受け金具５０と主軸１１との連結位置を調整できる構造としている。図に示す軸受け金具５０は、主軸１１の先端連結部１１Ａを回転しないように連結する非回転孔５１ａを有する調整台５１と、この調整台５１を水平面内で回転できるように連結している支持部５０Ａと、調整台５１を所定の位置に回転して支持部５０Ａに固定するロックボルト５２とを備える。
【００５４】
調整台５１は、図１１ないし図１３に示すように、全体の形状を円形としており、水平面内で回転できるように支持部５０Ａに配設している。支持部５０Ａは、その上面に、調整台５１を回転できるように嵌入できる凹部５４を設けている。図の調整台５１は円形としているので、支持部５０Ａは、円形の凹部５４を設けている。調整台５１は、その中心に、主軸１１の先端連結部１１Ａを回転しないように連結する非回転孔５１ａを開口して設けている。軸受け金具５０は、支持部５０Ａに設けた調整台５１の非回転孔５１ａを、くぐり戸２の回転中心に配置するように本体ドア１に固定している。図のヒンジ３は、軸受け金具５０と主軸１１とを互いに回転しないように連結するために、調整台５１の非回転孔５１ａを角穴とし、主軸１１の先端連結部１１Ａを、この角穴に嵌合する角ロッドとしている。ただ、調整台の非回転孔と主軸の先端連結部は、互いに回転しない状態で嵌合する他の形状や構造とすることもできる。
【００５５】
支持部５０Ａの凹部５４に配置されて水平面内で回転する調整台５１は、所定の位置に回転されて、ロックボルト５２で固定される。ここで、調整台５１の所定の位置とは、くぐり戸２を開く方向に力が作用しない状態で、くぐり戸２が閉位置となる位置である。すなわち、調整台５１は、力が作用しない状態のくぐり戸２が閉位置となるように回転位置が調整される。さらに、円形の調整台５１は、ロックボルト５２で所定の位置に固定するために、外周面に、調整台５１の回転方向に対して接線方向に平行な調整面５３を設けている。図１１ないし図１３の調整台５１は、その外周において、円の対向面を接線方向と平行な方向に切除して調整面５３を設けている。この調整台５１は、ロックボルト５２の先端で調整面５３を押圧して、支持部５０Ａに対する固定位置を調整している。
【００５６】
図の軸受け金具５０は、図１１と図１２に示すように、支持部５０Ａの両面から凹部５４に向かって、ロックボルト５２を挿通するネジ孔５５を開口して設けている。図の支持部５０Ａは、互いに対向する側面に、各々２個のネジ孔５５を水平方向に離して開口している。これらのネジ孔５５は、ここに挿入されるロックボルト５２の先端で、各々の調整面５３の両端部を押圧する位置に設けている。図のネジ孔５５は、支持部５０Ａの側面に、ロックボルト５２のネジ頭５２Ａを回転できるように挿入する挿入凹部５６を設けると共に、この挿入凹部５６の底面から、調整台５１を嵌入する凹部５４の内側に貫通して開口している。ロックボルト５２は、挿入凹部５６に挿入されるネジ頭５２Ａを外側から工具で回転させて、凹部５４の内部への突出量が調整される。ただ、ロックボルトには、ネジ頭のないものも使用できる。このロックボルトを挿通するネジ孔は、挿入凹部を設けることなく、支持部の側面から凹部の内面まで貫通させる。
【００５７】
以上の構造の軸受け金具５０は、図１３に示すように、各ロックボルト５２の突出量を調整して、調整台５１の位置を微調整する。調整台５１を図１２の矢印Ａで示す方向に回転させるときは、図１３に示すように、右上と左下に位置するロックボルト５２の突出量を大きくして、右下と左上に位置するロックボルト５２の突出量を小さくする。また、調整台５１を図１２の矢印Ａと逆方向に回転させるときは、図１３とは反対に、右上と左下に位置するロックボルト５２の突出量を小さくして、右下と左上に位置するロックボルト５２の突出量を大きくする。以上のようにして、調整台５１の回転位置を調整して、くぐり戸２を閉位置に配置できるように調整する。
【００５８】
次に、回転トルク部を備えていないヒンジ３について詳述する。図９において、くぐり戸２の上部に配設される第１のヒンジ３Ａは、図１４に示すように、くぐり戸２を本体ドア１に連結する主軸１１と、本体ドア１に固定されてヒンジ３の主軸１１を連結する軸受け金具１０と、主軸１１をくぐり戸２に出し入れ自在に連結する伸縮部６０とを備えている。主軸１１は、くぐり戸２の回転中心軸ｎ上に配置されており、くぐり戸２から突出する先端連結部１１Ａを一端に備えている。主軸１１は、この先端連結部１１Ａを軸受け金具１０に開口した回転孔１０ｃに挿入して連結している。さらに、図に示す第１のヒンジ３Ａは、くぐり戸２を本体ドア１に装着するために、伸縮部６０を介して、主軸１１の先端連結部１１Ａをくぐり戸２に出し入れできる構造としている。
【００５９】
図１４に示す伸縮部６０は、先端連結部１１Ａをくぐり戸２から突出させる方向に主軸１１を弾性的に押圧する弾性体６１と、この弾性体６１を内蔵する筒体６２と、この筒体６２に固定されてくぐり戸２に固定される固定片６３とを備える。主軸１１は、筒体６２の内面に沿って往復運動できるように、筒体６２に内蔵される後端部１１Ｂを、先端連結部１１Ａよりも太く成形している。図に示す主軸１１は、後端部１１Ｂの外径を筒体６２の内径とほぼ等しくして、主軸１１を回転中心軸ｎ上で往復運動できるようにしている。弾性体６１は、弾性金属線を渦巻き状に加工しているコイルスプリングである。コイルスプリングである弾性体６１は、筒体６２内において、主軸１１の後端部１１Ｂを押圧して、主軸１１の先端連結部１１Ａをくぐり戸２から弾性的に押し出す。固定片６３は、くぐり戸２の上面に固定しており、主軸１１の先端連結部１１Ａを、貫通孔６３Ａに貫通させて突出させている。くぐり戸２は、固定片６３を固定する状態で筒体６２を内蔵する収納部１８を設けている。
【００６０】
以上の構造の伸縮部６０を備えるヒンジ３は、主軸１１の先端連結部１１Ａを内部に押し込んだ状態で、本体ドア１に設けた軸受け金具１０の対向位置に配置される。すなわち、このくぐり戸２は、下端に設けた第２のヒンジ３Ｂの主軸１１の先端連結部１１Ａを軸受け金具５０に連結する状態で、上端に設けた第１のヒンジ３Ａの主軸１１の先端連結部１１Ａをくぐり戸２の内部に押し込み、この状態でくぐり戸２を本体ドア１の連結位置に配置し、その後、先端連結部１１Ａをくぐり戸２から突出させて上側の軸受け金具１０の回転孔１０ｃに挿入して連結する。このヒンジ３は、主軸１１の先端連結部１１Ａを軸受け金具１０の回転孔１０ｃに対して回転できるように連結し、くぐり戸２を本体ドア１に対して回転できるようにしている。ただ、ヒンジは、主軸の先端連結部を軸受け金具に設けた非回転孔に連結して、主軸を筒体に対して回転できる構造とすることもできる。
【００６１】
さらに、図９、図１０、及び図１４に示す防火ドアは、くぐり戸２と本体ドア１の間にストッパー機構３０を設けており、このストッパー機構３０でもって、くぐり戸２を本体ドア１の閉位置に停止している。ストッパー機構３０は、図１５ないし図１８に示すように、くぐり戸２と本体ドア１との対向面に設けている凹部３１と、この凹部３１に出し入れされる突出部３２と、この突出部３２を弾性的に凹部３１に向かって押し出す押圧弾性体３３とを備える。図１７と図１８に示すように、突出部３２は、縦に長い凸条３２Ａで、凹部３１は、この凸条３２Ａを案内する案内溝３１Ａである。このように、突出部３２を縦に長い凸条３２Ａとし、この凸条３２Ａを案内する案内溝３１Ａを凹部３１とするストッパー機構３０は、くぐり戸２を閉位置とする状態で、本体ドア１の開口部１Ａとくぐり戸２との間を広い範囲にわたって隙間なく閉塞して、この部分から煙やガスが通過するのを有効に防止できる特長がある。図のストッパー機構３０は、くぐり戸２の外側に凹部３１を設けて、本体ドア１の対向面である枠体３５に突出部３２である凸条３２Ａを設けている。ただし、ストッパー機構は、図とは反対に、くぐり戸の外側に突出部を設けて、本体ドアに凹部を設けることもできる。
【００６２】
案内溝３１Ａは、その幅を凸条３２Ａの幅よりも広くしており、凸条３２Ａは、その両端を案内溝３１Ａの幅方向に傾斜している。さらに、案内溝３１Ａは、その幅を、傾斜する凸条３２Ａの全体を案内できる幅としている。この構造のストッパ機構は、弱い回転トルクで突出部３２をスムーズに凹部３１に案内できる。それは、突出部の全体を同時に凹部に案内することなく、凸条３２Ａが部分的に案内溝３１Ａに案内するからである。このストッパ機構３０は、押圧弾性体３３で弾性的に押し出される突出部３２を凹部３１に案内して、くぐり戸２を本体ドア１の閉位置に停止する。
【００６３】
さらに、図の防火ドアは、くぐり戸２が両側面と上側面に凹部３１を有しており、本体ドア１は、開口部１Ａの内側であって、くぐり戸２に設けている凹部３１との対向面である両側の内面と上側の下面に凸条３２Ａを設けている。この防火ドアは、くぐり戸２の第１の縦枠２Ａと、その反対側に位置する第２の縦枠２Ｂと、くぐり戸２の上端に位置する第１の横枠２Ｃにストッパー機構３０を設けている。すなわち、くぐり戸２は、下端を除く３辺にストッパー機構３０を設けている。この防火ドアは、ストッパー機構３０でより確実にくぐり戸２を閉位置に停止できる。
【００６４】
図１５に示すように、くぐり戸２の両側面と、その対向面である本体ドア１の開口部１Ａの両側の内面に設けられるストッパ機構３０は、図５に示すストッパ機構３０と同様の構造としている。さらに、図１６と図１７に示すように、くぐり戸２の上端面と、その対向面である本体ドア１の開口部１Ａの上側の下面に設けているストッパ機構３０は、凸条３２Ａを、長手方向に向かって傾斜して配設している。このストッパ機構３０は、図１８の鎖線で示すように、本体ドア１の開口部１Ａの上側の下面に設けている凸条３２Ａを、その両端で開口部１Ａの両側内面に設けている凸条３２Ａの上端に連結される位置に配置している。さらに、図１８のストッパ機構３０は、くぐり戸２の両側面と上端面の３辺に設けられる凹部３１である案内溝３１Ａの境界部を、くぐり戸２の上端のコーナー部において互いに連結している。このように、くぐり戸２の３辺に設けられる凹部３１である案内溝３１Ａの境界部を互いに連結すると共に、本体ドア１の開口部１Ａの内面の３辺に設けられる突出部３２である凸条３２Ａの境界部を互いに連結する位置に配置するストッパ機構３０は、くぐり戸２を閉じた状態において、くぐり戸２の３辺に配置されるストッパ機構３０の境界部分を連続する状態で連結して、この部分に隙間ができるのを有効に防止できる。したがって、くぐり戸２を閉じた状態で、開口部１Ａの上側コーナー部における隙間をなくして、遮煙性能を確保できる特徴がある。
【００６５】
さらに、くぐり戸２の上端面に設けられるストッパ機構３０は、図１４に示すように、くぐり戸２の上部に設けた第１のヒンジ３Ａから突出する主軸１１の先端連結部１１Ａを貫通させる貫通孔６４を開口している。くぐり戸２の上端面に設けられる凹部３１である案内溝３１Ａは、図１８に示すように、その中央部であって、くぐり戸２から突出する主軸１１の先端連結部１１Ａを通過させる位置に貫通孔６４を開口している。また、本体ドア１の開口部１Ａの上側の下面に設けている凸条３２Ａは、図１７に示すように、くぐり戸２の上端面から突出する主軸１１の先端連結部１１Ａを通過させる位置であって、本体ドア１に内蔵される軸受け金具１０の回転孔１０ｃと対向する位置に貫通孔６４を開口している。このように、凹部３１である案内溝３１Ａと、突出部３２である凸条３２Ａに貫通孔６４を開口し、この貫通孔６４に主軸１１の先端連結部１１Ａを通過させて軸受け金具１０に連結する構造は、くぐり戸２の上側に配設されるストッパ機構３０の隙間をなくして、この部分から煙が漏れるのを確実に防止できる。
【００６６】
これらのストッパ機構３０は、突出部３２を本体ドア１の枠体３５の内部に配設して、内側から押圧弾性体３３で押圧して、くぐり戸２の凹部３１に向かって弾性的に押し出している。本体ドア１の枠体３５は、くぐり戸２の凹部３１に突出部３２を案内するために、突出部３２を本体ドア１から外部に突出させる開口部３６を設けている。図１５と図１６の押圧弾性体３３は、ロッド３４を介して突出部３２を内面から弾性的に押圧している。ロッド３４は、本体ドア１に固定している縦バー３７または横バー３８のガイド孔３７Ａ、３８Ａに挿通されて、押圧弾性体３３で軸方向に移動される。さらに、ロッド３４は、その先端に鍔部３９を設けている。この鍔部は、図示しないが、磁石を内蔵することもできる。磁石を内蔵する鍔部は、その磁力によって、くぐり戸の縦枠や横枠に引きつけられて、凸部を確実に押し出して、凹部に案内できる。また、くぐり戸の上側に配設される凸部は、鍔部の自重で凸部を下向きに突出させて、確実に凹部に案内することもできる。押圧弾性体３３はコイルスプリングからなる押しバネである。この押圧弾性体３３は、ロッド３４に挿通され、鍔部３９と本体ドア１の縦バー３７の間にあって、ロッド３４を突出部３２の内面に弾性的に押圧する。
【００６７】
以上のストッパー機構３０は、くぐり戸２が押圧されない状態で、くぐり戸２を閉位置に停止させる。ストッパー機構３０は、くぐり戸２が閉位置に移動すると、押圧弾性体３３が弾性的に押し出す突出部３２を凹部３１に案内して、くぐり戸２を本体ドア１の閉位置に停止する。非常時において、くぐり戸２が押されて開かれると、突出部３２を凹部３１の外部に移動する。くぐり戸２が押されなくなると、ヒンジ３がくぐり戸２を閉位置に復帰させる。このとき、突出部３２は、凹部３１に復帰されて、くぐり戸２を閉位置に停止する。くぐり戸２が閉位置に移動するとき、突出部３２は押圧弾性体３３を弾性的に圧縮する。ヒンジ３がくぐり戸２を閉位置に移動させる力で、押圧弾性体３３は圧縮される。ヒンジ３は、くぐり戸２が閉位置に接近するにしたがって、くぐり戸２を閉位置に移動させる回転トルクが小さくなり、押圧弾性体３３を圧縮する力も弱くなる。ただ、以上のストッパ機構は、凸条３２Ａが部分的に案内溝３１Ａに案内されることから、凸条３２Ａを案内溝３１Ａに案内するために要求されるくぐり戸２の回転トルクは小さくなる。このため、回転トルクが弱くなっても、凸条３２Ａを案内溝３１Ａにスムーズに案内して、くぐり戸２を本体ドア１の閉位置に移動できる。
【図面の簡単な説明】
【００６８】
【図１】本発明の一実施例にかかる防火ドアの正面図である。
【図２】図１に示す防火ドアの水平断面図である。
【図３】ヒンジの一例を示す拡大断面図である。
【図４】図３に示すヒンジの一方クラッチを示す水平断面図である。
【図５】図１に示す防火ドアのＡ−Ａ線断面図である。
【図６】図１に示す防火ドアのＢ−Ｂ線断面図である。
【図７】図５に示すストッパー機構の突出部を示す正面図である。
【図８】ストッパー機構の他の一例を示す拡大断面図である。
【図９】本発明の他の実施例にかかる防火ドアの正面図である。
【図１０】図９に示す防火ドアの第２のヒンジを示す拡大断面図である。
【図１１】図１０に示すヒンジの軸受け金具の分解斜視図である。
【図１２】図１０に示すヒンジの軸受け金具の水平断面図である。
【図１３】図１２に示す軸受け金具を調整する状態を示す水平断面図である。
【図１４】図９に示す防火ドアの第１のヒンジを示す拡大断面図であって、図９のＣ−Ｃ線断面に相当する図である。
【図１５】図９に示す防火ドアのＡ−Ａ線断面図である。
【図１６】図９に示す防火ドアのＢ−Ｂ線断面図である。
【図１７】図９に示す防火ドアの本体ドアの開口部の底面斜視図である。
【図１８】図９に示す防火ドアのくぐり戸の概略斜視図である。
【符号の説明】
【００６９】
１…本体ドア              １Ａ…開口部
２…くぐり戸              ２Ａ…第１の縦枠
２Ｂ…第２の縦枠
２Ｃ…第１の横枠
２Ｄ…第２の横枠
３…ヒンジ                ３Ａ…第１のヒンジ
３Ｂ…第２のヒンジ
４…バネヒンジ
９…通路
１０…軸受け金具          １０Ａ…支持部
１０Ｂ…固定部
１０ａ…非回転孔
１０ｂ…ネジ孔
１０ｃ…回転孔
１１…主軸                １１Ａ…先端連結部
１１Ｂ…後端部
１２…回転トルク部
１３…回転弾性体
１４…筒体
１５…固定片              １５Ａ…貫通孔
１５Ｂ…ネジ孔
１６…トルク調整機構
１７…開口部
１８…収納部
２０…一方クラッチ
２１…外リング
２２…内リング
２３…ボール
２４…テーパー溝
２５…連結孔
２６…回転ジグ
２８…止ネジ
２９…止ネジ
３０…ストッパー機構
３１…凹部                ３１Ａ…案内溝
３２…突出部              ３２Ａ…凸条
３３…押圧弾性体
３４…ロッド
３５…枠体
３６…開口部
３７…縦バー              ３７Ａ…ガイド孔
３８…横バー              ３８Ａ…ガイド孔
３９…鍔部
４０…磁石
４１…磁気カップ
５０…軸受け金具          ５０Ａ…支持部
５０Ｂ…固定部
５０ｂ…ネジ孔
５１…調整台              ５１ａ…非回転孔
５２…ロックボルト        ５２Ａ…ネジ頭
５３…調整面
５４…凹部
５５…ネジ孔
５６…挿入凹部
６０…伸縮部
６１…弾性体
６２…筒体
６３…固定片              ６３Ａ…貫通孔
６４…貫通孔
ｎ…回転中心軸
【図１】
2008285987.tif 000003
【図２】
2008285987.tif 000004
【図３】
2008285987.tif 000005
【図４】
2008285987.tif 000006
【図５】
2008285987.tif 000007
【図６】
2008285987.tif 000008
【図７】
2008285987.tif 000009
【図８】
2008285987.tif 000010
【図９】
2008285987.tif 000011
【図１０】
2008285987.tif 000012
【図１１】
2008285987.tif 000013
【図１２】
2008285987.tif 000014
【図１３】
2008285987.tif 000015
【図１４】
2008285987.tif 000016
【図１５】
2008285987.tif 000017
【図１６】
2008285987.tif 000018
【図１７】
2008285987.tif 000019
【図１８】
2008285987.tif 000020
【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
通り抜けることができるくぐり戸(2)をヒンジ(3)を介して本体ドア(1)の開口部(1A)に両方に開くように設けている防火ドアであって、
くぐり戸(2)と本体ドア(1)の間に、くぐり戸(2)を閉位置に停止するストッパー機構(30)を設けており、このストッパー機構(30)でもって、くぐり戸(2)が本体ドア(1)の閉位置に停止されるようにしてなる防火ドアであって、
ストッパー機構(30)が、くぐり戸(2)と本体ドア(1)との対向面に設けている凹部(31)と、この凹部(31)に出し入れされる突出部(32)と、この突出部(32)を弾性的に凹部(31)に向かって押し出す押圧弾性体(33)とを備え、
突出部(32)が縦に長い凸条(32A)で、凹部(31)がこの凸条(32A)を案内する案内溝(31A)で、案内溝(31A)の幅が凸条(32A)の幅よりも広く、かつ凸条(32A)が上下で案内溝(31A)の幅方向に傾斜しており、さらに案内溝(31A)の幅を、傾斜する凸条(32A)の全体を案内できる幅としており、
押圧弾性体(33)で弾性的に押し出される突出部(32)を凹部(31)に案内して、くぐり戸(2)を本体ドア(1)の閉位置に停止するようにしてなる防火ドア。
【請求項２】
くぐり戸(2)に凹部(31)を設けて、本体ドア(1)の対向面に凸条(32A)を設けている請求項１に記載される防火ドア。
【請求項３】
くぐり戸(2)が両側面と上側面に凹部(31)を有し、本体ドア(1)は開口部(1A)の内側であって、くぐり戸(2)に設けている凹部(31)との対向面である両側の内面と上側の下面に凸条(32A)を設けている請求項２に記載される防火ドア。
【請求項４】
本体ドア(1)の開口部(1A)の上側の下面に設けている凸条(32A)が、長手方向に向かって案内溝(31A)の幅方向に傾斜して配設されてなる請求項３に記載される防火ドア。
【請求項５】
本体ドア(1)の開口部(1A)の上側の下面に設けている凸条(32A)が、その両端で開口部(1A)の両側内面に設けている凸条(32A)の上端に連結される位置に配置されている請求項４に記載される防火ドア。
【請求項６】
ヒンジ(3)がくぐり戸(2)を本体ドア(1)に連結する主軸(11)と、本体ドア(1)に固定されてヒンジ(3)の主軸(11)を連結する軸受け金具(50)とを備え、軸受け金具(50)は、主軸(11)の先端連結部(11A)を回転しないように連結する非回転孔(51a)を有する調整台(51)と、この調整台(51)を水平面内で回転できるように連結している支持部(10A)と、調整台(51)を所定の位置に回転して支持部(50A)に固定するロックボルト(52)とを備える請求項１に記載される防火ドア。
【請求項７】
調整台(51)の外周面に、調整台(51)の回転方向に対して接線方向に平行な調整面(53)を有し、ロックボルト(52)がこの調整面(53)を押圧して、調整台(51)を支持部(50A)に対して回転しながら固定するようにしてなる請求項６に記載される防火ドア。
【請求項８】
調整台(51)の外周が、円の対向面を接線方向と平行な方向に切除して調整面(53)を設けた形状としており、各々の調整面(51)の両端部を押圧する位置にロックボルト(52)を設けている請求項７に記載される防火ドア。
【手続補正２】
【補正対象書類名】明細書
【補正対象項目名】全文
【補正方法】変更
【補正の内容】
【発明の詳細な説明】
【技術分野】
【０００１】
本発明は、本体ドアにくぐり戸を有する防火ドアに関し、とくに、くぐり戸を両方に開くことができる防火ドアに関する。
【背景技術】
【０００２】
本体ドアにくぐり戸を設けた防火ドアは開発されている。この防火ドアは、くぐり戸を押して開くことができるように、くぐり戸をヒンジで本体ドアに連結している。くぐり戸は、一方に押すと開くヒンジで本体ドアに連結している。さらに、ヒンジは、くぐり戸を押すのを中止すると自動的に閉まるバネを備えている。この防火ドアは、火災を検出して閉じた状態において、くぐり戸を開いて特定の方向に避難できる。また、避難した後には、くぐり戸を閉じる必要はなく、ヒンジのバネで自動的に閉じて防火壁の作用をする。ただ、この防火ドアは、一方に押して開き、また押すのを停止すると閉じる構造であることから、特定の方向とは反対の方向に移動しようとするとき、くぐり戸を引っ張って開くことができない。このため、くぐり戸を両方向に通過して避難できない欠点がある。
【０００３】
この欠点は、くぐり戸を両方向に開く構造として解消できる。両方向に開くことができるドアは開発されている。（特許文献１）
【特許文献１】特開平１０−１９６２４１号公報
【発明の開示】
【発明が解決しようとする課題】
【０００４】
特許文献１に記載されるドアは、両方向に開くことができる独特のヒンジを介して連結している。このドアは、両面にドアノブを固定しており、このドアノブを回転してドアを両方に開くことができる。ただ、この構造は、防火ドアのくぐり戸には利用できない。それは、くぐり戸は押すのを停止すると自動的に閉位置に移動する必要があるからである。
【０００５】
本発明は、従来の防火ドアの欠点を解決することを目的に開発されたもので、本発明の重要な目的は、両方向に開くように設けているくぐり戸を、簡単な構造で、確実に閉位置に移動できる防火ドアを提供することにある。
【課題を解決するための手段】
【０００６】
本発明の防火ドアは、前述の目的を達成するために以下の構成を備える。
本発明の防火ドアは、通り抜けることができるくぐり戸２をヒンジ３を介して本体ドア１の開口部１Ａに両方に開くように設けている。さらに、防火ドアは、くぐり戸２と本体ドア１の間に、くぐり戸２を閉位置に停止するストッパー機構３０を設けており、このストッパー機構３０でもって、くぐり戸２を本体ドア１の閉位置に停止させている。このストッパー機構３０は、くぐり戸２と本体ドア１との対向面に設けている凹部３１と、この凹部３１に出し入れされる突出部３２と、この突出部３２を弾性的に凹部３１に向かって押し出す押圧弾性体３３とを備えている。突出部３２は、縦に長い凸条３２Ａで、凹部３１は、この凸条３２Ａを案内する案内溝３１Ａで、案内溝３１Ａの幅を凸条３２Ａの幅よりも広くし、かつ凸条３２Ａを上下で案内溝３１Ａの幅方向に傾斜しており、さらに案内溝３１Ａの幅を、傾斜する凸条３２Ａの全体を案内できる幅としている。防火ドアは、押圧弾性体３３で弾性的に押し出される突出部３２を凹部３１に案内して、くぐり戸２を本体ドア１の閉位置に停止している。
【０００７】
本発明の請求項２の防火ドアは、くぐり戸２に凹部３１を設けて、本体ドア１の対向面に凸条３２Ａを設けている。さらに、本発明の請求項３の防火ドアは、くぐり戸２が両側面と上側面に凹部３１を有しており、本体ドア１は、開口部１Ａの内側であって、くぐり戸２に設けている凹部３１との対向面である両側の内面と上側の下面に凸条３２Ａを設けている。さらに、本発明の請求項４の防火ドアは、本体ドア１の開口部１Ａの上側の下面に設けている凸条３２Ａを、長手方向に向かって傾斜して配設している。さらにまた、本発明の請求項５の防火ドアは、本体ドア１の開口部１Ａの上側の下面に設けている凸条３２Ａを、その両端で開口部１Ａの両側内面に設けている凸条３２Ａの上端に連結される位置に配置している。
【０００８】
本発明の請求項６の防火ドアは、ヒンジ３が、くぐり戸２を本体ドア１に連結する主軸１１と、本体ドア１に固定されてヒンジ３の主軸１１を連結する軸受け金具５０とを備える。軸受け金具５０は、主軸１１の先端連結部１１Ａを回転しないように連結する非回転孔５１ａを有する調整台５１と、この調整台５１を水平面内で回転できるように連結している支持部５０Ａと、調整台５１を所定の位置に回転して支持部５０Ａに固定するロックボルト５２とを備える。
【０００９】
さらに、本発明の請求項７の防火ドアは、調整台５１の外周面に、調整台５１の回転方向に対して接線方向に平行な調整面５３を有し、ロックボルト５２でこの調整面５３を押圧して、調整台５１を支持部５０Ａに対して回転させながら固定している。さらに、本発明の請求項８の防火ドアは、調整台５１の外周が、円の対向面を接線方向と平行な方向に切除して調整面５３を設けた形状としており、各々の調整面５３の両端部を押圧する位置にロックボルト５２を設けている。
【発明の効果】
【００１０】
さらに、本発明の防火ドアは、ヒンジを介して両方向に開くように設けているくぐり戸を、簡単な構造で、確実に閉位置に移動できる特徴がある。それは、本発明の防火ドアが、くぐり戸と本体ドアの間に、くぐり戸を閉位置に停止するストッパー機構を設けており、このストッパー機構でもって、くぐり戸を本体ドアの閉位置に停止させているからである。とくに、この防火ドアは、ストッパー機構を、くぐり戸と本体ドアとの対向面に設けた案内溝である凹部と、この凹部に出し入れされる凸条である突出部と、この突出部を弾性的に凹部に向かって押し出す押圧弾性体とで構成すると共に、案内溝の幅を凸条の幅よりも広く、かつ凸条を上下で案内溝の幅方向に傾斜し、さらに案内溝の幅を、傾斜する凸条の全体を案内できる幅としている。この構造の防火ドアは、押圧弾性体で弾性的に押し出される突出部を凹部に案内して、ストッパ機構でくぐり戸を閉位置に正確に停止できる。さらに、この防火ドアは、凸条を上下で案内溝の幅方向に傾斜しているので、凸条全体を同時に案内溝に案内することなく、凸条を部分的に案内溝に案内しながら、全体を案内溝に入れることができる。したがって、凸条全体を一度に案内溝に案内する構造に比較して、くぐり戸を閉位置に移動させる回転力を弱くして、凸条を案内溝に案内できる。このため、凸条をスムーズに案内溝に案内して、ストッパー機構でくぐり戸を閉位置に正確に停止できる特徴が実現される。
【００１１】
さらに、本発明の請求項３の防火ドアは、くぐり戸の両側面と上側面に凹部を有けて、本体ドアの開口部の内側には、くぐり戸に設けている凹部との対向面である両側の内面と上側の下面に凸条を設けているので、くぐり戸の下端を除く３辺に設けたストッパー機構でより確実にくぐり戸を閉位置に停止できる。とくに、突出部を縦に長い凸条とし、この凸条を凹部に案内するストッパー機構は、くぐり戸を閉位置とする状態で、本体ドアの開口部とくぐり戸との間を広い範囲にわたって隙間なく閉塞して、この部分から煙やガスが通過するのを有効に防止できる特長がある。
【００１２】
さらに、本発明の請求項４の防火ドアは、本体ドアの開口部の上側の下面に設けている凸条を、長手方向に向かって傾斜して配設しているので、この凸条を、弱い回転トルクでスムーズに凹部に案内できる。このため、回転トルクが弱くなっても、凸条を確実に凹部に案内して、くぐり戸を本体ドアの閉位置に移動できる。
【００１３】
さらにまた、本発明の請求項５の防火ドアは、本体ドアの開口部の上側の下面に設けている凸条の両端を、開口部の両側内面に設けている凸条の上端に連結される位置に配置しているので、これらの凸条の境界部分を連続する状態で連結して、この部分に隙間ができるのを有効に防止して、優れた遮煙性能を実現できる特徴がある。
【００１４】
さらに、本発明の請求項６の防火ドアは、ヒンジが、くぐり戸を本体ドアに連結する主軸と、本体ドアに固定されてヒンジの主軸を連結する軸受け金具とを備えており、軸受け金具が、主軸の先端連結部を回転しないように連結する調整台と、この調整台を水平面内で回転できるように連結している支持部と、調整台を所定の位置に固定するロックボルトとを備えているので、調整台の回転位置をロックボルトで調整して、ヒンジの主軸を軸受け金具の支持部に理想的に連結できる。すなわち、この防火ドアは、ヒンジの主軸と軸受け金具の支持部の相対位置をロックボルトで簡単に微調整して、くぐり戸の閉位置を最適な位置に調整できる。
【００１５】
さらに、本発明の請求項７の防火ドアは、調整台の外周面に、調整台の回転方向に対して接線方向に平行な調整面を設けて、ロックボルトでこの調整面を押圧して、調整台を支持部に対して回転させながら固定するので、調整台の固定位置を簡単に調整しながら、調整台をロックボルトで確実に固定できる。とくに、本発明の請求項８の防火ドアは、調整台の外周を、円の対向面を接線方向と平行な方向に切除して調整面を設けた形状として、各々の調整面の両端部を押圧する位置にロックボルトを設けているので、調整面の両端部をロックボルトで押圧して、調整台を確実に固定できる。
【発明を実施するための最良の形態】
【００１６】
以下、本発明の実施例を図面に基づいて説明する。ただし、以下に示す実施例は、本発明の技術思想を具体化するための防火ドアを例示するものであって、本発明は防火ドアを以下のものに特定しない。
【００１７】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
図１と図２に示す防火ドアは、通り抜けることができるくぐり戸２をヒンジ３を介して本体ドア１に設けている。図に示す本体ドア１は、中央部の下方に設けた開口部１Ａに、くぐり戸２を配設している。本体ドア１は、下端縁を開口して開口部１Ａを設けており、この開口部１Ａの内側縁に、くぐり戸２の左右両側と上端の３辺を対向させる状態でくぐり戸２を配設している。この構造の防火ドアは、くぐり戸２を開いて、本体ドア１を開口する状態で、開口部１Ａの下端をバリアフリーにでき、安全に避難できる特長がある。この防火ドアは、図１と図２に示すように、くぐり戸２の上下に設けている第１のヒンジ３Ａと第２のヒンジ３Ｂを介して、くぐり戸２を本体ドア１に、両面に開閉できるように連結している。
【００１９】
本体ドア１は、従来の防火ドアと同じように、バネヒンジ４を介して建物の通路９に取り付けられる。バネヒンジ４は、防火ドアを通路９を開く位置から通路９を閉じる位置にバネで移動させる。建物は、通常の状態において本体ドア１を通路９を開く位置に停止するためにストッパ（図示せず）を設けている。ストッパは、火災を検出すると本体ドア１の停止状態を解除する。ストッパが解除されると、本体ドア１はバネヒンジ４で通路９を閉鎖する位置に移動される。すなわち、本体ドア１は、火災のときに建物の通路９を閉鎖して、火災が広がるのを阻止する。
【００２０】
本体ドア１が建物の通路９を閉鎖して火災が広がるのを阻止するには、本体ドア１に設けているくぐり戸２を閉位置とする必要がある。くぐり戸２が閉位置にないと、開かれたくぐり戸２の開口部１Ａから火災等が広がるからである。開かれたくぐり戸２を手動で閉じる必要がある防火ドアは、非常時にくぐり戸２が閉じられないと防火ドアの働きをできない。したがって、くぐり戸２は、手動で操作して閉じることなく、自動的に閉位置に移動するヒンジ３で本体ドア１に連結している。
【００２１】
図１のくぐり戸２は、上下に固定しているヒンジ３、すなわち第１のヒンジ３Ａと第２のヒンジ３Ｂを介して本体ドア１に連結している。図２においては、くぐり戸２の上のヒンジを第１のヒンジ３Ａ、下のヒンジを第２のヒンジ３Ｂとする。
【００２２】
ヒンジ３の具体例を図３に示す。このヒンジ３は、本体ドア１に固定される軸受け金具１０と、この軸受け金具１０に連結される主軸１１と、くぐり戸２に固定される回転トルク部１２とを備える。軸受け金具１０は、主軸１１を回転しないように挿入する非回転孔１０ａを設けている。図に示す軸受け金具１０は、全体の形状をＬ字状としており、垂直に配設される固定部１０Ｂを本体ドア１に固定すると共に、水平に配設される支持部１０Ａに主軸１１を挿入する非回転孔１０ａを設けて、くぐり戸２を所定の位置に支持している。図１に示すように、くぐり戸２の上側に配設される軸受け金具１０は、本体ドア１の開口部１Ａの内側に固定されて、開口部１Ａの上端縁に配設される支持部１０Ａで第１のヒンジ３Ａの主軸１１を支持する。また、くぐり戸２の下側に配設される軸受け金具１０は、図１と図３に示すように、本体ドア１の開口部１Ａの開口縁から、支持部１０Ａを水平方向に突出させる状態で本体ドア１に固定されて、この突出部分である支持部１０Ａで第２のヒンジ３Ｂの主軸１１を支持する。上下の軸受け金具１０は、固定部１０Ｂを本体ドア１に固定して、開口部１Ａの所定の位置に配設される。軸受け金具１０の固定部１０Ｂは、図３に示すように、本体ドア１に固定する止ネジ２８を挿通する複数のネジ孔１０ｂを貫通して設けている。軸受け金具１０は、くぐり戸２の回転中心に非回転孔１０ａを配置するように、止ネジ２８で本体ドア１に固定される。軸受け金具１０は、くぐり戸２の上下に固定されるので、上下の軸受け金具１０は、その非回転孔１０ａを、くぐり戸２の回転中心軸ｎに配置する。
【００２３】
主軸１１は、くぐり戸２の内部であって、くぐり戸２の回転中心軸ｎ上に配置されており、くぐり戸２から突出する先端連結部１１Ａを一端に備えている。主軸１１は、この先端連結部１１Ａを軸受け金具１０の非回転孔１０ａに挿入して、軸受け金具１０に連結している。図のヒンジ３は、軸受け金具１０と主軸１１とを互いに回転しないように連結するために、軸受け金具１０の非回転孔１０ａを角穴とし、主軸１１の先端連結部１１Ａを、この角穴に嵌合する角ロッドとしている。ただ、軸受け金具の非回転孔と主軸の先端連結部は、互いに回転しない状態で嵌合する他の形状や構造とすることもできる。
【００２４】
回転トルク部１２は、主軸１１に連結されてくぐり戸２を開位置から閉位置に弾性的に駆動する回転弾性体１３と、この回転弾性体１３を内蔵する筒体１４と、この筒体１４に固定されてくぐり戸２に固定される固定片１５と、回転弾性体１３が主軸１１を相対的に回転させる回転トルクを調整するトルク調整機構１６とを備える。
【００２５】
回転弾性体１３は、くぐり戸２を閉じる方向に回転させるように付勢する状態で配設される。図３の回転弾性体１３は、弾性金属線を渦巻き状に加工しているコイルスプリングである。この回転弾性体１３は、一端を主軸１１に連結して、他端をトルク調整機構１６を介して筒体１４に連結している。主軸１１は、筒体１４に回転できるように内蔵されると共に、本体ドア１に、回転しないように連結されている。コイルスプリングである回転弾性体１３は、筒体１４と主軸１１とを、その弾性力によって相対的に回転させようとする。ただ、主軸１１は本体ドア１に回転しないように連結されているので、回転弾性体１３は、主軸１１を回転させることなく、その反作用で筒体１４を回転させる。すなわち、回転弾性体１３が、主軸１１に対して筒体１４を弾性的に回転させて、回転する筒体１４が、固定されたくぐり戸２を閉じる方向に回転させる。
【００２６】
防火ドアは、図２に示すように、本体ドア１の両面にくぐり戸２を開閉する。この図において、くぐり戸２は、水平面内で左右に回転されて、本体ドア１の両面に開閉される。ヒンジ３の回転弾性体１３は、くぐり戸２を右又は左にのみ、すなわち一方にのみ回転する。両面に開かれるくぐり戸２を閉位置とするために、くぐり戸２の上下に固定される第１のヒンジ３Ａの回転弾性体１３と第２のヒンジ３Ｂの回転弾性体１３は、くぐり戸２を互いに反対方向に回転して両方向に開かれるくぐり戸２を閉位置とする。たとえば、くぐり戸２の下部に固定されるヒンジ３の回転弾性体１３でくぐり戸２を弾性的に左回転させ、上部に固定される第２のヒンジ３Ｂの回転弾性体１３でくぐり戸２を弾性的に右回転させて、左右に回転して両面に開かれるくぐり戸２を閉位置に移動させる。
【００２７】
回転弾性体１３が筒体１４を回転させる回転トルクは、くぐり戸２を閉じる方向に回転させる回転トルクとなる。トルク調整機構１６は、回転弾性体１３の一端を筒体１４に連結する回転位置を変更して、筒体１４を弾性的に回転させる回転トルク、すなわち、くぐり戸２を閉じる方向に回転させる回転トルクを調整する。図３のヒンジ３は、トルク調整機構１６を一方クラッチ２０とする。ただし、ヒンジのトルク調整機構を一方クラッチには特定せず、回転弾性体の回転トルクを調整できるすべての機構、たとえばラチェット機構とすることもできる。
【００２８】
一方クラッチ２０からなるトルク調整機構１６は、筒体１４に回転しないように固定される外リング２１と、回転弾性体１３の一端を連結している内リング２２と、この内リング２２と外リング２１との間にあるボール２３とを備える。内リング２２は、図４に示すように、ボール２３を案内するテーパー溝２４を設けているいる。テーパー溝２４は内リング２２の回転方向に向かって次第に浅くなるテーパー状としている。この一方クラッチ２０は、図４の矢印Ａで示す方向には回転できるが、矢印Ｂで示す方向には回転しない。このトルク調整機構１６は、一方クラッチ２０の内リング２２を矢印Ａで示す方向に回転して、回転弾性体１３がくぐり戸２を閉じる方向に回転させるトルクを強くする。いいかえると、内リング２２がこの方向に回転されると、コイルスプリングからなる回転弾性体１３の一端を巻方向に移動して、コイルスプリングが筒体１４を回転させる回転トルクを強くする。内リング２２を回転させるために、図１の一部拡大図に示すように、くぐり戸２の表面と筒体１４には開口部１７を設けており、さらに内リング２２の外側面には、回転ジグ２６を挿入する連結孔２５を設けている。くぐり戸２と筒体１４の開口部１７から内リング２２の連結孔２５に回転ジグ２６を挿入し、回転ジグ２６で内リング２２を回転して、回転弾性体１３が筒体１４を回転する回転トルクを調整する。
【００２９】
ヒンジ３は、主軸１１を弾性的に回転しない状態でくぐり戸２に連結される。くぐり戸２の上下に固定されるヒンジ３は、主軸１１を本体ドア１の軸受け金具１０に連結した後、トルク調整機構１６で回転弾性体１３が主軸１１を弾性的に回転する回転トルクを調整する。第１のヒンジ３Ａの回転弾性体１３は、図２において矢印Ｃで示すように、くぐり戸２を右方向に回転して閉位置とし、第２のヒンジ３Ｂの回転弾性体１３は、矢印Ｄで示すように、くぐり戸２を左方向に回転して閉位置とする。第１のヒンジ３Ａの回転弾性体１３と第２のヒンジ３Ｂの回転弾性体１３は、互いにバランスして、本体ドア１の閉位置となるように調整される。第１のヒンジ３Ａと第２のヒンジ３Ｂは、くぐり戸２を閉位置とするように回転弾性体１３をバランスさせているので、くぐり戸２が押されて開かれると、閉位置に復帰させるように主軸１１を弾性的に回転させる。
【００３０】
固定片１５は、主軸１１の先端連結部１１Ａを貫通させて突出させる貫通孔１５Ａと、止ネジ２９を挿入してくぐり戸２に固定する複数のネジ孔１５Ｂを設けている。固定片１５の貫通孔１５Ａは、主軸１１の先端連結部１１Ａを回転できるように貫通させる。正確には、主軸１１は、回転しないように本体ドア１に連結されるので、固定片１５は、主軸１１に対して回転できるように先端連結部１１Ａを貫通させている。固定片１５は、ネジ孔１５Ｂに挿通される止ネジ２９でくぐり戸２に固定される。第１のヒンジ３Ａは固定片１５をくぐり戸２の上面に固定し、第２のヒンジ３Ｂは固定片１５をくぐり戸２の下面、図３においては、くぐり戸２の下端に位置する第２の横枠２Ｄに固定している。くぐり戸２は、固定片１５を固定する状態で筒体１４を内蔵する収納部１８を設けている。
【００３１】
さらに、防火ドアは、図５と図６の断面図に示すように、くぐり戸２と本体ドア１の間にストッパー機構３０を設けている。ストッパー機構３０は、くぐり戸２が押圧されない状態で、くぐり戸２を閉位置に停止させる。このくぐり戸２は、ストッパー機構３０で閉位置に正確に停止される。これらの図の防火ドアは、ヒンジ３で本体ドア１に連結されるくぐり戸２の第１の縦枠２Ａと、その反対側に位置する第２の縦枠２Ｂと、くぐり戸２の上端に位置する第１の横枠２Ｃにストッパー機構３０を設けている。すなわち、くぐり戸２は、下端を除く３辺にストッパー機構３０を設けている。この防火ドアは、ストッパー機構３０でより確実にくぐり戸２を閉位置に停止できる。
【００３２】
図５と図６のストッパー機構３０は、くぐり戸２と本体ドア１との対向面に設けている凹部３１と、この凹部３１に出し入れされる突出部３２と、この突出部３２を弾性的に凹部３１に向かって押し出す押圧弾性体３３とを備える。図５は、本体ドア１とくぐり戸２の水平断面図を、図６は、本体ドア１とくぐり戸２の垂直断面図をそれぞれ示している。
これらの図のストッパー機構３０は、くぐり戸２の外側に凹部３１を設けて、本体ドア１の枠体３５に突出部３２を設けている。ただし、ストッパー機構は、図とは反対に、くぐり戸の外側に突出部を設けて、本体ドアに凹部を設けることもできる。
【００３３】
突出部３２は、本体ドア１の枠体３５の内部に配設されて、内側から押圧弾性体３３に押されて、くぐり戸２の凹部３１に向かって弾性的に押し出される。本体ドア１の枠体３５は、くぐり戸２の凹部３１に突出部３２を案内するために、突出部３２を本体ドア１から外部に突出させる開口部３６を設けている。図５と図６の押圧弾性体３３は、ロッド３４を介して突出部３２を内面から弾性的に押圧している。ロッド３４は、本体ドア１に固定している縦バー３７または横バー３８のガイド孔３７Ａ、３８Ａに挿通されて、押圧弾性体３３で軸方向に移動される。さらに、ロッド３４は、その先端に鍔部３９を設けている。この鍔部は、図示しないが、磁石を内蔵することもできる。磁石を内蔵する鍔部は、その磁力によって、くぐり戸の縦枠や横枠に引きつけられて、凸部を確実に押し出して、凹部に案内できる。また、くぐり戸の上側に配設される凸部は、鍔部の自重で凸部を下向きに突出させて、確実に凹部に案内することもできる。押圧弾性体３３はコイルスプリングからなる押しバネである。この押圧弾性体３３は、ロッド３４に挿通され、鍔部３９と本体ドア１の縦バー３７の間にあって、ロッド３４を突出部３２の内面に弾性的に押圧する。
【００３４】
さらに、ストッパー機構３０は、突出部３２を縦に長い凸条３２Ａとし、凹部３１を、凸条３２Ａを案内する案内溝３１Ａとする。このように、突出部３２を縦に長い凸条３２Ａとし、この凸条３２Ａを案内する案内溝３１Ａを凹部３１とするストッパー機構３０は、くぐり戸２を閉位置とする状態で、本体ドア１の開口部１Ａとくぐり戸２との間を広い範囲にわたって隙間なく閉塞して、この部分から煙やガスが通過するのを有効に防止できる特長がある。
【００３５】
図５と図６のストッパー機構３０は、上下のヒンジ３がバランスして、くぐり戸２を閉位置に配置すると、押圧弾性体３３が弾性的に押し出す突出部３２が凹部３１に案内されて、くぐり戸２を本体ドア１の閉位置に停止する。非常時において、くぐり戸２が押されて開かれると、突出部３２を凹部３１の外部に移動する。くぐり戸２が押されなくなると、ヒンジ３がくぐり戸２を閉位置に復帰させる。このとき、突出部３２は、凹部３１に復帰されて、くぐり戸２を閉位置に停止する。
【００３６】
くぐり戸２が閉位置に移動するとき、突出部３２は押圧弾性体３３を弾性的に圧縮する。ヒンジ３がくぐり戸２を閉位置に移動させる力で、押圧弾性体３３は圧縮される。上下のヒンジ３は、バランスしてくぐり戸２を閉位置に停止するので、くぐり戸２が閉位置に接近するにしたがって、くぐり戸２を閉位置に移動させる回転トルクが小さくなる。小さい回転トルクは、押圧弾性体３３を圧縮する力も弱くなる。
【００３７】
さらにまた、図５と図７は、弱い回転トルクで突出部３２をスムーズに凹部３１に案内するストッパー機構３０としている。このストッパー機構３０は、案内溝３１Ａの幅を凸条３２Ａの幅より広くして、凸条３２Ａを上下で案内溝３１Ａの幅方向に傾斜させている。さらに、案内溝３１Ａの幅は、傾斜する凸条３２Ａの全体を案内できる幅としている。このストッパー機構３０は、凸条３２Ａを部分的に案内溝３１Ａに案内しながら、くぐり戸２を閉位置に停止する。図６のストッパー機構３０のように、突出部３２の全体を同時に凹部３１に案内しない。凸条３２Ａが部分的に案内溝３１Ａに案内されることから、凸条３２Ａを案内溝３１Ａに案内するために要求されるくぐり戸２の回転トルクは小さくなる。このため、回転トルクが弱くなっても、凸条３２Ａを案内溝３１Ａに案内して、くぐり戸２を本体ドア１の閉位置に移動できる。
【００３８】
ストッパー機構３０は、図８の拡大断面図に示すように、くぐり戸２と本体ドア１との対向面に配設している磁石４０とすることもできる。このストッパー機構３０は、磁石４０の吸引力でくぐり戸２を本体ドア１の閉位置に停止する。とくに、図８の断面図に示すストッパー機構３０は、鉄などの磁性金属をカップ状に加工している磁気カップ４１に収納している。磁気カップ４１は内形を磁石４０の外形よりも大きくすると共に、くぐり戸２を閉位置とする状態で互いに対向して配設されるように、くぐり戸２と本体ドア１に固定している。このストッパー機構３０は、くぐり戸２を閉位置とする状態で、磁石４０の吸引力を強くして、くぐり戸２を安定して閉位置に停止できる。くぐり戸２を閉位置とする状態で、磁気カップ４１が磁気抵抗を小さくして、磁気的な吸引力を強くするからである。
【００３９】
さらに、図９に示す防火ドアは、通り抜けできるくぐり戸２を、ヒンジ３を介して本体ドア１の開口部１Ａに両方向に開くように設けると共に、くぐり戸２と本体ドア１の間に、くぐり戸２を閉位置に停止するストッパー機構３０を設けている。この防火ドアは、くぐり戸２の上下をヒンジ３を介して本体ドア１の開口部１Ａに連結しているが、前述の実施例のように、くぐり戸２の上下に固定しているヒンジ３の弾性体をバランスしてくぐり戸２を閉位置に移動させるのではない。この防火ドアは、くぐり戸２と本体ドア１の間に設けたストッパ機構３０を介して、くぐり戸１２を閉位置に停止させる。したがって、上下のヒンジ３は、必しもくぐり戸を反対方向に回転するように付勢する弾性体を各々が内蔵する必要はない。
【００４０】
図に示す上下のヒンジ３は、くぐり戸２を本体ドア１に連結する主軸１１と、本体ドア１に固定されて、ヒンジ３の主軸１１を連結する軸受け金具１０、５０とを備えている。ここで、くぐり戸２の下部に設けた第２のヒンジ３Ｂは、くぐり戸２を閉位置に移動させる回転トルク部１２を備えているが、くぐり戸２の上部に設けた第１のヒンジ３Ａは、くぐり戸２を回転させる回転トルク部を備えていない。すなわち、図の防火ドアは、くぐり戸２を本体ドア１に対して回転させた状態では、下部に設けた第２のヒンジ３Ｂの回転トルク部１２によってくぐり戸２を閉位置に移動させる構造としている。ただ、回転トルク部は、上部に設けた第１のヒンジに設けることもできる。すなわち、くぐり戸は、上下のいずれか一方のヒンジに設けた回転トルク部で閉位置に移動することができ、あるいは上下の両方のヒンジに回転トルク部を設けて閉位置に移動することもできる。
【００４１】
この防火ドアは、ヒンジ３に内蔵される回転トルク部１２を介して、開位置にあるくぐり戸２を閉位置に移動させる。以下、回転トルク部１２を備えるヒンジ３について詳述する。図９の防火ドアは、くぐり戸２の下部に配設される第２のヒンジ３Ｂが回転トルク部１２を備えている。したがって、この第２のヒンジ３Ｂの詳細について、図１０に基づいて説明する。なお、回転トルク部を備えていないヒンジ、すなわち、図９において、くぐり戸２の上部に配設される第１のヒンジ３Ａの詳細については後述する。
【００４２】
図１０に示すヒンジ３は、くぐり戸２を本体ドア１に連結する主軸１１と、本体ドア１に固定されてヒンジ３の主軸１１を連結する軸受け金具５０と、くぐり戸２に固定される回転トルク部１２とを備える。主軸１１は、くぐり戸２の内部であって、くぐり戸２の回転中心軸ｎ上に配置されており、くぐり戸２から突出する先端連結部１１Ａを一端に備えている。主軸１１は、この先端連結部１１Ａを軸受け金具５０に連結している。
【００４３】
軸受け金具５０は、全体の形状をＬ字状としており、垂直に配設される固定部５０Ｂを本体ドア１に固定すると共に、水平に配設される支持部５０Ａを、本体ドア１の開口部１Ａの開口縁から水平方向に突出させる状態で配置している。軸受け金具５０の固定部５０Ｂは、図に示すように、本体ドア１に固定する止ネジ２８を挿通する複数のネジ孔５０ｂを貫通して設けている。
【００４４】
回転トルク部１２は、主軸１１に連結されてくぐり戸２を開位置から閉位置に弾性的に駆動する回転弾性体１３と、この回転弾性体１３を内蔵する筒体１４と、この筒体１４に固定されてくぐり戸２に固定される固定片１５とを備える。図の回転弾性体１３は、弾性金属線を渦巻き状に加工しているコイルスプリングである。この回転弾性体１３は、一端を主軸１１に連結して、他端を筒体１４に連結している。主軸１１は、筒体１４に回転できるように内蔵されると共に、本体ドア１に、回転しないように連結している。コイルスプリングである回転弾性体１３は、筒体１４と主軸１１とを、その弾性力によって相対的に回転させようとする。ただ、主軸１１は本体ドア１に回転しないように連結されるので、回転弾性体１３は、主軸１１を回転させることなく、その反作用で筒体１４を回転させる。すなわち、回転弾性体１３が、主軸１１に対して筒体１４を弾性的に回転させて、筒体１４が固定されたくぐり戸２を閉じる方向に回転させる。コイルスプリングである回転弾性体１３は、くぐり戸２を、閉位置から左右のいずれの方向に回転させても、回転弾性体１３の弾性力でくぐり戸２を閉じる方向に回転させる。したがって、この回転弾性体１３は、くぐり戸２を回転させる方向に力が付勢しない状態で、くぐり戸２が閉位置となるように配設される。固定片１５は、主軸１１の先端連結部１１Ａを回転しないように貫通孔１５Ａを貫通させて突出させると共に、ネジ孔１５Ｂに止ネジ２９を挿入して、くぐり戸２に固定している。図のヒンジ３は、固定片１５をくぐり戸２の下面、図１０においては、くぐり戸２の下端に位置する第２の横枠２Ｄに固定している。くぐり戸２は、固定片１５を固定する状態で筒体１４を内蔵する収納部１８を設けている。
【００４５】
以上の構造の回転トルク部１２を備えるヒンジ３は、本体ドア１の両方向に回転されるくぐり戸２を、回転弾性体１３の弾性力によって閉位置に移動させる。さらに、図に示すヒンジ３は、回転弾性体１３の弾性力が経時的に変化しても、負荷が作用しない状態における回転弾性体１３の静止位置、いいかえるとくぐり戸２の停止位置が閉位置からずれないように、軸受け金具５０と主軸１１との連結位置を調整できる構造としている。図に示す軸受け金具５０は、主軸１１の先端連結部１１Ａを回転しないように連結する非回転孔５１ａを有する調整台５１と、この調整台５１を水平面内で回転できるように連結している支持部５０Ａと、調整台５１を所定の位置に回転して支持部５０Ａに固定するロックボルト５２とを備える。
【００４６】
調整台５１は、図１１ないし図１３に示すように、全体の形状を円形としており、水平面内で回転できるように支持部５０Ａに配設している。支持部５０Ａは、その上面に、調整台５１を回転できるように嵌入できる凹部５４を設けている。図の調整台５１は円形としているので、支持部５０Ａは、円形の凹部５４を設けている。調整台５１は、その中心に、主軸１１の先端連結部１１Ａを回転しないように連結する非回転孔５１ａを開口して設けている。軸受け金具５０は、支持部５０Ａに設けた調整台５１の非回転孔５１ａを、くぐり戸２の回転中心に配置するように本体ドア１に固定している。図のヒンジ３は、軸受け金具５０と主軸１１とを互いに回転しないように連結するために、調整台５１の非回転孔５１ａを角穴とし、主軸１１の先端連結部１１Ａを、この角穴に嵌合する角ロッドとしている。ただ、調整台の非回転孔と主軸の先端連結部は、互いに回転しない状態で嵌合する他の形状や構造とすることもできる。
【００４７】
支持部５０Ａの凹部５４に配置されて水平面内で回転する調整台５１は、所定の位置に回転されて、ロックボルト５２で固定される。ここで、調整台５１の所定の位置とは、くぐり戸２を開く方向に力が作用しない状態で、くぐり戸２が閉位置となる位置である。すなわち、調整台５１は、力が作用しない状態のくぐり戸２が閉位置となるように回転位置が調整される。さらに、円形の調整台５１は、ロックボルト５２で所定の位置に固定するために、外周面に、調整台５１の回転方向に対して接線方向に平行な調整面５３を設けている。図１１ないし図１３の調整台５１は、その外周において、円の対向面を接線方向と平行な方向に切除して調整面５３を設けている。この調整台５１は、ロックボルト５２の先端で調整面５３を押圧して、支持部５０Ａに対する固定位置を調整している。
【００４８】
図の軸受け金具５０は、図１１と図１２に示すように、支持部５０Ａの両面から凹部５４に向かって、ロックボルト５２を挿通するネジ孔５５を開口して設けている。図の支持部５０Ａは、互いに対向する側面に、各々２個のネジ孔５５を水平方向に離して開口している。これらのネジ孔５５は、ここに挿入されるロックボルト５２の先端で、各々の調整面５３の両端部を押圧する位置に設けている。図のネジ孔５５は、支持部５０Ａの側面に、ロックボルト５２のネジ頭５２Ａを回転できるように挿入する挿入凹部５６を設けると共に、この挿入凹部５６の底面から、調整台５１を嵌入する凹部５４の内側に貫通して開口している。ロックボルト５２は、挿入凹部５６に挿入されるネジ頭５２Ａを外側から工具で回転させて、凹部５４の内部への突出量が調整される。ただ、ロックボルトには、ネジ頭のないものも使用できる。このロックボルトを挿通するネジ孔は、挿入凹部を設けることなく、支持部の側面から凹部の内面まで貫通させる。
【００４９】
以上の構造の軸受け金具５０は、図１３に示すように、各ロックボルト５２の突出量を調整して、調整台５１の位置を微調整する。調整台５１を図１２の矢印Ａで示す方向に回転させるときは、図１３に示すように、右上と左下に位置するロックボルト５２の突出量を大きくして、右下と左上に位置するロックボルト５２の突出量を小さくする。また、調整台５１を図１２の矢印Ａと逆方向に回転させるときは、図１３とは反対に、右上と左下に位置するロックボルト５２の突出量を小さくして、右下と左上に位置するロックボルト５２の突出量を大きくする。以上のようにして、調整台５１の回転位置を調整して、くぐり戸２を閉位置に配置できるように調整する。
【００５０】
次に、回転トルク部を備えていないヒンジ３について詳述する。図９において、くぐり戸２の上部に配設される第１のヒンジ３Ａは、図１４に示すように、くぐり戸２を本体ドア１に連結する主軸１１と、本体ドア１に固定されてヒンジ３の主軸１１を連結する軸受け金具１０と、主軸１１をくぐり戸２に出し入れ自在に連結する伸縮部６０とを備えている。主軸１１は、くぐり戸２の回転中心軸ｎ上に配置されており、くぐり戸２から突出する先端連結部１１Ａを一端に備えている。主軸１１は、この先端連結部１１Ａを軸受け金具１０に開口した回転孔１０ｃに挿入して連結している。さらに、図に示す第１のヒンジ３Ａは、くぐり戸２を本体ドア１に装着するために、伸縮部６０を介して、主軸１１の先端連結部１１Ａをくぐり戸２に出し入れできる構造としている。
【００５１】
図１４に示す伸縮部６０は、先端連結部１１Ａをくぐり戸２から突出させる方向に主軸１１を弾性的に押圧する弾性体６１と、この弾性体６１を内蔵する筒体６２と、この筒体６２に固定されてくぐり戸２に固定される固定片６３とを備える。主軸１１は、筒体６２の内面に沿って往復運動できるように、筒体６２に内蔵される後端部１１Ｂを、先端連結部１１Ａよりも太く成形している。図に示す主軸１１は、後端部１１Ｂの外径を筒体６２の内径とほぼ等しくして、主軸１１を回転中心軸ｎ上で往復運動できるようにしている。弾性体６１は、弾性金属線を渦巻き状に加工しているコイルスプリングである。コイルスプリングである弾性体６１は、筒体６２内において、主軸１１の後端部１１Ｂを押圧して、主軸１１の先端連結部１１Ａをくぐり戸２から弾性的に押し出す。固定片６３は、くぐり戸２の上面に固定しており、主軸１１の先端連結部１１Ａを、貫通孔６３Ａに貫通させて突出させている。くぐり戸２は、固定片６３を固定する状態で筒体６２を内蔵する収納部１８を設けている。
【００５２】
以上の構造の伸縮部６０を備えるヒンジ３は、主軸１１の先端連結部１１Ａを内部に押し込んだ状態で、本体ドア１に設けた軸受け金具１０の対向位置に配置される。すなわち、このくぐり戸２は、下端に設けた第２のヒンジ３Ｂの主軸１１の先端連結部１１Ａを軸受け金具５０に連結する状態で、上端に設けた第１のヒンジ３Ａの主軸１１の先端連結部１１Ａをくぐり戸２の内部に押し込み、この状態でくぐり戸２を本体ドア１の連結位置に配置し、その後、先端連結部１１Ａをくぐり戸２から突出させて上側の軸受け金具１０の回転孔１０ｃに挿入して連結する。このヒンジ３は、主軸１１の先端連結部１１Ａを軸受け金具１０の回転孔１０ｃに対して回転できるように連結し、くぐり戸２を本体ドア１に対して回転できるようにしている。ただ、ヒンジは、主軸の先端連結部を軸受け金具に設けた非回転孔に連結して、主軸を筒体に対して回転できる構造とすることもできる。
【００５３】
さらに、図９、図１０、及び図１４に示す防火ドアは、くぐり戸２と本体ドア１の間にストッパー機構３０を設けており、このストッパー機構３０でもって、くぐり戸２を本体ドア１の閉位置に停止している。ストッパー機構３０は、図１５ないし図１８に示すように、くぐり戸２と本体ドア１との対向面に設けている凹部３１と、この凹部３１に出し入れされる突出部３２と、この突出部３２を弾性的に凹部３１に向かって押し出す押圧弾性体３３とを備える。図１７と図１８に示すように、突出部３２は、縦に長い凸条３２Ａで、凹部３１は、この凸条３２Ａを案内する案内溝３１Ａである。このように、突出部３２を縦に長い凸条３２Ａとし、この凸条３２Ａを案内する案内溝３１Ａを凹部３１とするストッパー機構３０は、くぐり戸２を閉位置とする状態で、本体ドア１の開口部１Ａとくぐり戸２との間を広い範囲にわたって隙間なく閉塞して、この部分から煙やガスが通過するのを有効に防止できる特長がある。図のストッパー機構３０は、くぐり戸２の外側に凹部３１を設けて、本体ドア１の対向面である枠体３５に突出部３２である凸条３２Ａを設けている。ただし、ストッパー機構は、図とは反対に、くぐり戸の外側に突出部を設けて、本体ドアに凹部を設けることもできる。
【００５４】
案内溝３１Ａは、その幅を凸条３２Ａの幅よりも広くしており、凸条３２Ａは、その両端を案内溝３１Ａの幅方向に傾斜している。さらに、案内溝３１Ａは、その幅を、傾斜する凸条３２Ａの全体を案内できる幅としている。この構造のストッパ機構は、弱い回転トルクで突出部３２をスムーズに凹部３１に案内できる。それは、突出部の全体を同時に凹部に案内することなく、凸条３２Ａが部分的に案内溝３１Ａに案内するからである。このストッパ機構３０は、押圧弾性体３３で弾性的に押し出される突出部３２を凹部３１に案内して、くぐり戸２を本体ドア１の閉位置に停止する。
【００５５】
さらに、図の防火ドアは、くぐり戸２が両側面と上側面に凹部３１を有しており、本体ドア１は、開口部１Ａの内側であって、くぐり戸２に設けている凹部３１との対向面である両側の内面と上側の下面に凸条３２Ａを設けている。この防火ドアは、くぐり戸２の第１の縦枠２Ａと、その反対側に位置する第２の縦枠２Ｂと、くぐり戸２の上端に位置する第１の横枠２Ｃにストッパー機構３０を設けている。すなわち、くぐり戸２は、下端を除く３辺にストッパー機構３０を設けている。この防火ドアは、ストッパー機構３０でより確実にくぐり戸２を閉位置に停止できる。
【００５６】
図１５に示すように、くぐり戸２の両側面と、その対向面である本体ドア１の開口部１Ａの両側の内面に設けられるストッパ機構３０は、図５に示すストッパ機構３０と同様の構造としている。さらに、図１６と図１７に示すように、くぐり戸２の上端面と、その対向面である本体ドア１の開口部１Ａの上側の下面に設けているストッパ機構３０は、凸条３２Ａを、長手方向に向かって傾斜して配設している。このストッパ機構３０は、図１８の鎖線で示すように、本体ドア１の開口部１Ａの上側の下面に設けている凸条３２Ａを、その両端で開口部１Ａの両側内面に設けている凸条３２Ａの上端に連結される位置に配置している。さらに、図１８のストッパ機構３０は、くぐり戸２の両側面と上端面の３辺に設けられる凹部３１である案内溝３１Ａの境界部を、くぐり戸２の上端のコーナー部において互いに連結している。このように、くぐり戸２の３辺に設けられる凹部３１である案内溝３１Ａの境界部を互いに連結すると共に、本体ドア１の開口部１Ａの内面の３辺に設けられる突出部３２である凸条３２Ａの境界部を互いに連結する位置に配置するストッパ機構３０は、くぐり戸２を閉じた状態において、くぐり戸２の３辺に配置されるストッパ機構３０の境界部分を連続する状態で連結して、この部分に隙間ができるのを有効に防止できる。したがって、くぐり戸２を閉じた状態で、開口部１Ａの上側コーナー部における隙間をなくして、遮煙性能を確保できる特徴がある。
【００５７】
さらに、くぐり戸２の上端面に設けられるストッパ機構３０は、図１４に示すように、くぐり戸２の上部に設けた第１のヒンジ３Ａから突出する主軸１１の先端連結部１１Ａを貫通させる貫通孔６４を開口している。くぐり戸２の上端面に設けられる凹部３１である案内溝３１Ａは、図１８に示すように、その中央部であって、くぐり戸２から突出する主軸１１の先端連結部１１Ａを通過させる位置に貫通孔６４を開口している。また、本体ドア１の開口部１Ａの上側の下面に設けている凸条３２Ａは、図１７に示すように、くぐり戸２の上端面から突出する主軸１１の先端連結部１１Ａを通過させる位置であって、本体ドア１に内蔵される軸受け金具１０の回転孔１０ｃと対向する位置に貫通孔６４を開口している。このように、凹部３１である案内溝３１Ａと、突出部３２である凸条３２Ａに貫通孔６４を開口し、この貫通孔６４に主軸１１の先端連結部１１Ａを通過させて軸受け金具１０に連結する構造は、くぐり戸２の上側に配設されるストッパ機構３０の隙間をなくして、この部分から煙が漏れるのを確実に防止できる。
【００５８】
これらのストッパ機構３０は、突出部３２を本体ドア１の枠体３５の内部に配設して、内側から押圧弾性体３３で押圧して、くぐり戸２の凹部３１に向かって弾性的に押し出している。本体ドア１の枠体３５は、くぐり戸２の凹部３１に突出部３２を案内するために、突出部３２を本体ドア１から外部に突出させる開口部３６を設けている。図１５と図１６の押圧弾性体３３は、ロッド３４を介して突出部３２を内面から弾性的に押圧している。ロッド３４は、本体ドア１に固定している縦バー３７または横バー３８のガイド孔３７Ａ、３８Ａに挿通されて、押圧弾性体３３で軸方向に移動される。さらに、ロッド３４は、その先端に鍔部３９を設けている。この鍔部は、図示しないが、磁石を内蔵することもできる。磁石を内蔵する鍔部は、その磁力によって、くぐり戸の縦枠や横枠に引きつけられて、凸部を確実に押し出して、凹部に案内できる。また、くぐり戸の上側に配設される凸部は、鍔部の自重で凸部を下向きに突出させて、確実に凹部に案内することもできる。押圧弾性体３３はコイルスプリングからなる押しバネである。この押圧弾性体３３は、ロッド３４に挿通され、鍔部３９と本体ドア１の縦バー３７の間にあって、ロッド３４を突出部３２の内面に弾性的に押圧する。
【００５９】
以上のストッパー機構３０は、くぐり戸２が押圧されない状態で、くぐり戸２を閉位置に停止させる。ストッパー機構３０は、くぐり戸２が閉位置に移動すると、押圧弾性体３３が弾性的に押し出す突出部３２を凹部３１に案内して、くぐり戸２を本体ドア１の閉位置に停止する。非常時において、くぐり戸２が押されて開かれると、突出部３２を凹部３１の外部に移動する。くぐり戸２が押されなくなると、ヒンジ３がくぐり戸２を閉位置に復帰させる。このとき、突出部３２は、凹部３１に復帰されて、くぐり戸２を閉位置に停止する。くぐり戸２が閉位置に移動するとき、突出部３２は押圧弾性体３３を弾性的に圧縮する。ヒンジ３がくぐり戸２を閉位置に移動させる力で、押圧弾性体３３は圧縮される。ヒンジ３は、くぐり戸２が閉位置に接近するにしたがって、くぐり戸２を閉位置に移動させる回転トルクが小さくなり、押圧弾性体３３を圧縮する力も弱くなる。ただ、以上のストッパ機構は、凸条３２Ａが部分的に案内溝３１Ａに案内されることから、凸条３２Ａを案内溝３１Ａに案内するために要求されるくぐり戸２の回転トルクは小さくなる。このため、回転トルクが弱くなっても、凸条３２Ａを案内溝３１Ａにスムーズに案内して、くぐり戸２を本体ドア１の閉位置に移動できる。
【図面の簡単な説明】
【００６０】
【図１】本発明の参考例にかかる防火ドアの正面図である。
【図２】図１に示す防火ドアの水平断面図である。
【図３】ヒンジの一例を示す拡大断面図である。
【図４】図３に示すヒンジの一方クラッチを示す水平断面図である。
【図５】図１に示す防火ドアのＡ−Ａ線断面図である。
【図６】図１に示す防火ドアのＢ−Ｂ線断面図である。
【図７】図５に示すストッパー機構の突出部を示す正面図である。
【図８】ストッパー機構の他の一例を示す拡大断面図である。
【図９】本発明の実施例にかかる防火ドアの正面図である。
【図１０】図９に示す防火ドアの第２のヒンジを示す拡大断面図である。
【図１１】図１０に示すヒンジの軸受け金具の分解斜視図である。
【図１２】図１０に示すヒンジの軸受け金具の水平断面図である。
【図１３】図１２に示す軸受け金具を調整する状態を示す水平断面図である。
【図１４】図９に示す防火ドアの第１のヒンジを示す拡大断面図であって、図９のＣ−Ｃ線断面に相当する図である。
【図１５】図９に示す防火ドアのＡ−Ａ線断面図である。
【図１６】図９に示す防火ドアのＢ−Ｂ線断面図である。
【図１７】図９に示す防火ドアの本体ドアの開口部の底面斜視図である。
【図１８】図９に示す防火ドアのくぐり戸の概略斜視図である。
【符号の説明】
【００６１】
１…本体ドア              １Ａ…開口部
２…くぐり戸              ２Ａ…第１の縦枠
２Ｂ…第２の縦枠
２Ｃ…第１の横枠
２Ｄ…第２の横枠
３…ヒンジ                ３Ａ…第１のヒンジ
３Ｂ…第２のヒンジ
４…バネヒンジ
９…通路
１０…軸受け金具          １０Ａ…支持部
１０Ｂ…固定部
１０ａ…非回転孔
１０ｂ…ネジ孔
１０ｃ…回転孔
１１…主軸                １１Ａ…先端連結部
１１Ｂ…後端部
１２…回転トルク部
１３…回転弾性体
１４…筒体
１５…固定片              １５Ａ…貫通孔
１５Ｂ…ネジ孔
１６…トルク調整機構
１７…開口部
１８…収納部
２０…一方クラッチ
２１…外リング
２２…内リング
２３…ボール
２４…テーパー溝
２５…連結孔
２６…回転ジグ
２８…止ネジ
２９…止ネジ
３０…ストッパー機構
３１…凹部                ３１Ａ…案内溝
３２…突出部              ３２Ａ…凸条
３３…押圧弾性体
３４…ロッド
３５…枠体
３６…開口部
３７…縦バー              ３７Ａ…ガイド孔
３８…横バー              ３８Ａ…ガイド孔
３９…鍔部
４０…磁石
４１…磁気カップ
５０…軸受け金具          ５０Ａ…支持部
５０Ｂ…固定部
５０ｂ…ネジ孔
５１…調整台              ５１ａ…非回転孔
５２…ロックボルト        ５２Ａ…ネジ頭
５３…調整面
５４…凹部
５５…ネジ孔
５６…挿入凹部
６０…伸縮部
６１…弾性体
６２…筒体
６３…固定片              ６３Ａ…貫通孔
６４…貫通孔
ｎ…回転中心軸